(57)【要約】【課題】カタログ雑誌に掲載された景品を速やかに選択でき、景品をタイムリーに発注できる発注システムを提供する。【解決手段】発注システム１０は、店舗端末装置１３，１４と本部端末装置１６と仕入先端末装置１９，２０とサーバ２１とから形成される。サーバ２１は、、カタログデータ及び景品データを記憶するカタログ情報記憶手段と、カタログデータを端末装置１６に送信するカタログデータ送信手段と、カタログデータに対応する景品データを端末装置１６に送信する景品データ送信手段と、端末装置１６が選択した購入予定の景品データを端末装置１３，１４に送信する購入予定景品データ送信手段と、端末装置１３，１４が選択した購入希望景品データを端末装置１６に送信する購入希望景品データ送信手段と、購入希望景品データを仕入先端末装置１９，２０に送信する発注景品データ送信手段とを実行する。【選択図】図１
2009289026.tif 000002
【特許請求の範囲】
【請求項１】
複数のアミューズメント店舗に設置された店舗端末装置と、それらアミューズメント店舗を管理するアミューズメント本部に設置された本部端末装置と、前記アミューズメント店舗の利用者に提供する各種複数の景品を該アミューズメント店舗に納入する各仕入先に設置された仕入先端末装置と、それら景品に関する各種情報をインターネットを介してそれら端末装置に提供するサーバ装置とから形成され、
前記サーバ装置が、それら景品を掲載した各種複数の景品カタログのカタログデータを記憶しつつ、それら景品カタログに掲載された景品の景品データをカタログ別に区分して記憶するカタログ情報記憶手段と、前記本部端末装置が前記カタログデータを要求したときに、それらカタログデータを該本部端末装置に送信するカタログデータ送信手段と、前記本部端末装置がそれらカタログデータの中から少なくとも一つのそれを選択したときに、選択されたカタログデータに対応する景品データを該本部端末装置に送信する景品データ第１送信手段と、前記本部端末装置がそれら景品データの中から購入予定の景品データを選択したときに、選択された購入予定景品データをそれら店舗端末装置に送信する購入予定景品データ第１送信手段と、前記店舗端末装置がそれら購入予定景品データの中から購入希望の景品データを選択したときに、選択された購入希望景品データを前記本部端末装置に送信する購入希望景品データ第１送信手段と、前記本部端末装置がそれら購入希望景品データの発注を要請したときに、それら購入希望景品データを前記仕入先端末装置に送信する発注景品データ第１送信手段とを有する発注システム。
【請求項２】
前記カタログ情報記憶手段では、前記景品データを前記景品カタログの各ページ毎に区分して記憶し、前記景品データ第１送信手段では、前記本部端末装置がそれらカタログデータの中から少なくとも一つのそれを選択しつつそれらページの中から少なくとも一つのそれを指定したときに、選択されたカタログデータの指定されたページに対応する景品データを該本部端末装置に送信する請求項１記載の発注システム。
【請求項３】
前記カタログ情報記憶手段では、前記景品データを前記景品カタログに掲載された景品の景品種別に区分して記憶し、前記景品データ第１送信手段では、前記本部端末装置がそれらカタログデータの中から少なくとも一つのそれを選択しつつそれら景品種別の中から少なくとも一つのそれを選択したときに、選択されたカタログデータの選択された景品種別に対応する景品データを該本部端末装置に送信する請求項１または請求項２に記載の発注システム。
【請求項４】
前記カタログ情報記憶手段では、前記景品データを前記景品カタログに掲載された景品の製造メーカー別に区分して記憶し、前記景品データ第１送信手段では、前記本部端末装置がそれらカタログデータの中から少なくとも一つのそれを選択しつつそれらメーカーの中から少なくとも一つのそれを選択したときに、選択されたカタログデータの選択されたメーカーに対応する景品データを該本部端末装置に送信する請求項１ないし請求項３いずれかに記載の発注システム。
【請求項５】
前記カタログ情報記憶手段では、前記景品データを前記景品カタログに掲載された景品のイメージキャラクター別に区分して記憶し、前記景品データ第１送信手段では、前記本部端末装置がそれらカタログデータの中から少なくとも一つのそれを選択しつつそれらキャラクターの中から少なくとも一つのそれを選択したときに、選択されたカタログデータの選択されたキャラクターに対応する景品データを該第１端末装置に送信する請求項１ないし請求項４いずれかに記載の発注システム。
【請求項６】
前記カタログ情報記憶手段では、前記景品データを前記景品カタログに掲載された景品のサイズ別に区分して記憶し、前記景品データ第１送信手段では、前記本部端末装置がそれらカタログデータの中から少なくとも一つのそれを選択しつつそれらサイズの中から少なくとも一つのそれを選択したときに、選択されたカタログデータの選択されたサイズに対応する景品データを該本部端末装置に送信する請求項１ないし請求項５いずれかに記載の発注システム。
【請求項７】
前記カタログ情報記憶手段では、前記景品データを前記景品カタログに掲載された景品の価格帯別に区分して記憶し、前記景品データ第１送信手段では、前記本部端末装置がそれらカタログデータの中から少なくとも一つのそれを選択しつつそれら価格帯の中から少なくとも一つのそれを選択したときに、選択されたカタログデータの選択された価格帯に対応する景品データを該本部端末装置に送信する請求項１ないし請求項６いずれかに記載の発注システム。
【請求項８】
前記カタログ情報記憶手段では、前記景品データを前記景品カタログに掲載された景品のコード別に区分して記憶し、前記景品データ第１送信手段では、前記本部端末装置がそれらカタログデータの中から少なくとも一つのそれを選択しつつそれらコードの中から少なくとも一つのそれを選択したときに、選択されたカタログデータの選択されたコードに対応する景品データを該本部端末装置に送信する請求項１ないし請求項７いずれかに記載の発注システム。
【請求項９】
前記カタログ情報記憶手段では、前記景品データを前記景品カタログに掲載された景品の景品名別に区分して記憶し、前記景品データ第１送信手段では、前記本部端末装置がそれらカタログデータの中から少なくとも一つのそれを選択しつつそれら景品名の中から少なくとも一つのそれを選択したときに、選択されたカタログデータの選択された景品名に対応する景品データを該本部端末装置に送信する請求項１ないし請求項８いずれかに記載の発注システム。
【請求項１０】
前記サーバ装置が、前記アミューズメント店舗の利用者に提供する各種複数の景品の景品データを記憶する景品情報記憶手段と、前記本部端末装置が前記景品データを要求したときに、それら景品データを該本部端末装置に送信する景品データ第２送信手段と、前記本部端末装置がそれら景品データの中から購入予定の景品データを選択したときに、選択された購入予定景品データをそれら店舗端末装置に送信する購入予定景品データ第２送信手段と、前記店舗端末装置がそれら購入予定景品データの中から購入希望の景品データを選択したときに、選択された購入希望景品データを前記本部端末装置に送信する購入希望景品データ第２送信手段と、前記本部端末装置がそれら購入希望景品データの発注を要請したときに、それら購入希望景品データを前記仕入先端末装置に送信する発注景品データ第２送信手段とを有する請求項１ないし請求項９いずれかに記載の発注システム。
【請求項１１】
前記景品情報記憶手段では、前記景品データを景品の景品種別に区分して記憶し、前記景品データ第２送信手段では、前記本部端末装置がそれら景品種別の中から少なくとも一つのそれを選択したときに、選択された景品種別に対応する景品データを該本部端末装置に送信する請求項１０記載の発注システム。
【請求項１２】
前記景品情報記憶手段では、前記景品データを景品の製造メーカー別に区分して記憶し、前記景品データ第２送信手段では、前記本部端末装置がそれらメーカーの中から少なくとも一つのそれを選択したときに、選択されたメーカーに対応する景品データを該本部端末装置に送信する請求項１０または請求項１１に記載の発注システム。
【請求項１３】
前記景品情報記憶手段では、前記景品データをイメージキャラクター別に区分して記憶し、前記景品データ第２送信手段では、前記本部端末装置がそれらキャラクターの中から少なくとも一つのそれを選択したときに、選択されたキャラクターに対応する景品データを該本部端末装置に送信する請求項１０ないし請求項１２いずれかに記載の発注システム。
【請求項１４】
前記景品情報記憶手段では、前記景品データを景品のサイズ別に区分して記憶し、前記景品データ第２送信手段では、前記本部端末装置がそれらサイズの中から少なくとも一つのそれを選択したときに、選択されたサイズに対応する景品データを該本部端末装置に送信する請求項１０ないし請求項１３いずれかに記載の発注システム。
【請求項１５】
前記景品情報記憶手段では、前記景品データを景品の価格帯別に区分して記憶し、前記景品データ第２送信手段では、前記本部端末装置がそれら価格帯の中から少なくとも一つのそれを選択したときに、選択された価格帯に対応する景品データを該本部端末装置に送信する請求項１０ないし請求項１４いずれかに記載の発注システム。
【請求項１６】
前記景品情報記憶手段では、前記景品データを景品のコード別に区分して記憶し、前記景品データ第２送信手段では、前記本部端末装置がそれらコードの中から少なくとも一つのそれを選択したときに、選択されたコードに対応する景品データを該本部端末装置に送信する請求項１０ないし請求項１５いずれかに記載の発注システム。
【請求項１７】
前記景品情報記憶手段では、前記景品データを景品の景品名別に区分して記憶し、前記景品データ第２送信手段では、前記第本部末装置がそれら景品名の中から少なくとも一つのそれを選択したときに、選択された景品名に対応する景品データを該本部端末装置に送信する請求項１０ないし請求項１６いずれかに記載の発注システム。
【発明の詳細な説明】
【技術分野】
【０００１】
本発明は、インターネットを利用して各種の景品を発注する発注システムに関する。
【背景技術】
【０００２】
購買者から物品の注文を受け付ける注文受付部と、物品を購買者へ供給する供給先の優先順位、供給先の取扱品、供給先が物品を購買者へ供給できるか否かを示すデータを記憶したデータベースと、そのデータベースを参照し、物品を購買者へ供給する供給先を特定する供給先特定部と、特定した供給先へ物品を発注する注文発注部とから形成された発注管理システムがある（特許文献１参照）。
【０００３】
データベースには、注文品を購買者に供給する供給先の優先順位を示す優先順位データ、供給先の取扱品を示す取扱品データ、供給先が注文品を供給できるか否かを示す供給可否データ、供給先毎に供給可能な購買者または供給不可能な購買者を定義した供給可能先データが格納されている。供給先特定部は、優先順位の高いものから順に供給先を選択する供給先選択部と、選択した供給先が物品を供給できるか否かを判断する供給可否判断部とを有する。この発注管理システムは、データベースを参照して供給先を特定することにより、物品の供給先として最適なそれを選択することができる。
【特許文献１】特開２００７−２１９９２６号公報
【発明の開示】
【発明が解決しようとする課題】
【０００４】
前記特許文献１に開示の発注管理システムは、購買者が購入する物品を注文した後、データベースに格納された各データを利用してその物品の供給先を決定するが、購買者の注文時に注文品の一覧が表示されることはない。購買者は、物品を注文する際に、複数のカタログ雑誌を見ながら希望の物品を探さなければならず、手間と時間とを要する。購買者がアミューズメント事業者である場合、そこで提供される景品は多岐に亘るとともに、遊技機における景品の品不足を防がなければならないことから、遊技機に景品を常時供給し得る体勢を整えておく必要がある。そのためには、アミューズメント事業者において不足した景品を速やかに注文し、その景品を直ちに補充しなければならない。しかし、景品を仕入先に注文する際、その景品が掲載されたカタログ雑誌を見つけ出さなければならないのみならず、景品をカタログ雑誌から探し出さなければならず、その作業に相当の時間を要する。アミューズメント事業者は、景品をカタログ雑誌から選択する場合、不足した景品をタイムリーに注文することができない場合があり、景品の品切れを起こす場合がある。
【０００５】
本発明の目的は、カタログ雑誌に掲載された景品を速やかに選択することができ、景品をタイムリーに発注することができる発注システムを提供することにある。
【課題を解決するための手段】
【０００６】
前記課題を解決するための本発明に係る発注システムは、複数のアミューズメント店舗に設置された店舗端末装置と、それらアミューズメント店舗を管理するアミューズメント本部に設置された本部端末装置と、アミューズメント店舗の利用者に提供する各種複数の景品を該アミューズメント店舗に納入する各仕入先に設置された仕入先端末装置と、それら景品に関する各種情報をインターネットを介してそれら端末装置に提供するサーバ装置とから形成されている。サーバ装置は、それら景品を掲載した各種複数の景品カタログのカタログデータを記憶しつつ、それら景品カタログに掲載された景品の景品データをカタログ別に区分して記憶するカタログ情報記憶手段と、本部端末装置がカタログデータを要求したときに、それらカタログデータを本部端末装置に送信するカタログデータ送信手段と、本部端末装置がそれらカタログデータの中から少なくとも一つのそれを選択したときに、選択されたカタログデータに対応する景品データを本部端末装置に送信する景品データ第１送信手段と、本部端末装置がそれら景品データの中から購入予定の景品データを選択したときに、選択された購入予定景品データをそれら店舗端末装置に送信する購入予定景品データ第１送信手段と、店舗端末装置がそれら購入予定景品データの中から購入希望の景品データを選択したときに、選択された購入希望景品データを本部端末装置に送信する購入希望景品データ第１送信手段と、本部端末装置がそれら購入希望景品データの発注を要請したときに、それら購入希望景品データを仕入先端末装置に送信する発注景品データ第１送信手段とを有する。
【０００７】
本発明に係る発注システムの一例として、カタログ情報記憶手段では、景品データを景品カタログの各ページ毎に区分して記憶し、景品データ第１送信手段では、本部端末装置がそれらカタログデータの中から少なくとも一つのそれを選択しつつそれらページの中から少なくとも一つのそれを指定したときに、選択されたカタログデータの指定されたページに対応する景品データを本部端末装置に送信する。
【０００８】
本発明に係る発注システムの他の一例として、カタログ情報記憶手段では、景品データを景品カタログに掲載された景品の景品種別に区分して記憶し、景品データ第１送信手段では、本部端末装置がそれらカタログデータの中から少なくとも一つのそれを選択しつつそれら景品種別の中から少なくとも一つのそれを選択したときに、選択されたカタログデータの選択された景品種別に対応する景品データを本部端末装置に送信する。
【０００９】
本発明に係る発注システムの他の一例として、カタログ情報記憶手段では、景品データを景品カタログに掲載された景品の製造メーカー別に区分して記憶し、景品データ第１送信手段では、本部端末装置がそれらカタログデータの中から少なくとも一つのそれを選択しつつそれらメーカーの中から少なくとも一つのそれを選択したときに、選択されたカタログデータの選択されたメーカーに対応する景品データを本部端末装置に送信する。
【００１０】
本発明に係る発注システムの他の一例として、カタログ情報記憶手段では、景品データを景品カタログに掲載された景品のイメージキャラクター別に区分して記憶し、景品データ第１送信手段では、本部端末装置がそれらカタログデータの中から少なくとも一つのそれを選択しつつそれらキャラクターの中から少なくとも一つのそれを選択したときに、選択されたカタログデータの選択されたキャラクターに対応する景品データを第１端末装置に送信する。
【００１１】
本発明に係る発注システムの他の一例として、カタログ情報記憶手段では、景品データを景品カタログに掲載された景品のサイズ別に区分して記憶し、景品データ第１送信手段では、本部端末装置がそれらカタログデータの中から少なくとも一つのそれを選択しつつそれらサイズの中から少なくとも一つのそれを選択したときに、選択されたカタログデータの選択されたサイズに対応する景品データを本部端末装置に送信する。
【００１２】
本発明に係る発注システムの他の一例として、カタログ情報記憶手段では、景品データを景品カタログに掲載された景品の価格帯別に区分して記憶し、景品データ第１送信手段では、本部端末装置がそれらカタログデータの中から少なくとも一つのそれを選択しつつそれら価格帯の中から少なくとも一つのそれを選択したときに、選択されたカタログデータの選択された価格帯に対応する景品データを本部端末装置に送信する。
【００１３】
本発明に係る発注システムの他の一例として、カタログ情報記憶手段では、景品データを景品カタログに掲載された景品のコード別に区分して記憶し、景品データ第１送信手段では、本部端末装置がそれらカタログデータの中から少なくとも一つのそれを選択しつつそれらコードの中から少なくとも一つのそれを選択したときに、選択されたカタログデータの選択されたコードに対応する景品データを本部端末装置に送信する。
【００１４】
本発明に係る発注システムの他の一例として、カタログ情報記憶手段では、景品データを景品カタログに掲載された景品の景品名別に区分して記憶し、景品データ第１送信手段では、本部端末装置がそれらカタログデータの中から少なくとも一つのそれを選択しつつそれら景品名の中から少なくとも一つのそれを選択したときに、選択されたカタログデータの選択された景品名に対応する景品データを本部端末装置に送信する。
【００１５】
本発明に係る発注システムの他の一例としては、サーバ装置が、アミューズメント店舗の利用者に提供する各種複数の景品の景品データを記憶する景品情報記憶手段と、本部端末装置が景品データを要求したときに、それら景品データを本部端末装置に送信する景品データ第２送信手段と、本部端末装置がそれら景品データの中から購入予定の景品データを選択したときに、選択された購入予定景品データをそれら店舗端末装置に送信する購入予定景品データ第２送信手段と、店舗端末装置がそれら購入予定景品データの中から購入希望の景品データを選択したときに、選択された購入希望景品データを本部端末装置に送信する購入希望景品データ第２送信手段と、本部端末装置がそれら購入希望景品データの発注を要請したときに、それら購入希望景品データを仕入先端末装置に送信する発注景品データ第２送信手段とを有する。
【００１６】
本発明に係る発注システムの他の一例として、景品情報記憶手段では、景品データを景品の景品種別に区分して記憶し、景品データ第２送信手段では、本部端末装置がそれら景品種別の中から少なくとも一つのそれを選択したときに、選択された景品種別に対応する景品データを本部端末装置に送信する。
【００１７】
本発明に係る発注システムの他の一例として、景品情報記憶手段では、景品データを景品の製造メーカー別に区分して記憶し、景品データ第２送信手段では、本部端末装置がそれらメーカーの中から少なくとも一つのそれを選択したときに、選択されたメーカーに対応する景品データを本部端末装置に送信する。
【００１８】
本発明に係る発注システムの他の一例として、景品情報記憶手段では、景品データをイメージキャラクター別に区分して記憶し、景品データ第２送信手段では、本部端末装置がそれらキャラクターの中から少なくとも一つのそれを選択したときに、選択されたキャラクターに対応する景品データを本部端末装置に送信する。
【００１９】
本発明に係る発注システムの他の一例として、景品情報記憶手段では、景品データを景品のサイズ別に区分して記憶し、景品データ第２送信手段では、本部端末装置がそれらサイズの中から少なくとも一つのそれを選択したときに、選択されたサイズに対応する景品データを本部端末装置に送信する。
【００２０】
本発明に係る発注システムの他の一例として、景品情報記憶手段では、景品データを景品の価格帯別に区分して記憶し、景品データ第２送信手段では、本部端末装置がそれら価格帯の中から少なくとも一つのそれを選択したときに、選択された価格帯に対応する景品データを本部端末装置に送信する。
【００２１】
本発明に係る発注システムの他の一例として、景品情報記憶手段では、景品データを景品のコード別に区分して記憶し、景品データ第２送信手段では、本部端末装置がそれらコードの中から少なくとも一つのそれを選択したときに、選択されたコードに対応する景品データを本部端末装置に送信する。
【００２２】
本発明に係る発注システムの他の一例として、景品情報記憶手段では、景品データを景品の景品名別に区分して記憶し、景品データ第２送信手段では、第本部末装置がそれら景品名の中から少なくとも一つのそれを選択したときに、選択された景品名に対応する景品データを本部端末装置に送信する。
【発明の効果】
【００２３】
本発明にかかる発注システムによれば、サーバ装置が各種複数の景品の景品データをカタログ別に区分して記憶し、各種複数のカタログ雑誌が電子データとしてサーバ装置に一元的に管理され、インターネットを介してカタログデータがサーバ装置から本部端末装置に送信されるから、本部端末装置を介してそれらカタログデータの中から必要なそれを迅速に検索することができる。発注システムは、本部端末装置において各種複数のカタログの中から希望のそれを選択することができ、アミューズメント本部において各所に散在するカタログ雑誌を見つけ出す必要はなく、カタログ雑誌を見つける手間と時間とを省くことができる。この発注システムは、カタログの他にそこに掲載された景品が電子データとしてサーバ装置に一元的に管理され、インターネットを介して景品データがサーバ装置から本部端末装置に送信されるから、本部端末装置においてカタログを選択しつつ購入予定の景品をそのカタログから選ぶことができ、本部端末装置を介して各種複数の景品データの中から購入予定のそれを迅速に検索かつ選び出すことができる。発注システムは、それを利用することで、不足した景品を仕入先にタイムリーかつ迅速に注文することができ、仕入先からアミューズメント店舗に景品が迅速に納品されるから、各アミューズメント店舗における景品の品切れを防ぐことができる。
【００２４】
発注システムは、本部端末装置において選択された購入予定の景品データがサーバ装置から店舗端末装置に送信され、店舗端末装置を介して購入予定の景品データから購入希望の景品データを選択することができ、各アミューズメント店舗において必要な景品のみを選び出すことができる。この発注システムは、仕入先に発注すべき景品データをアミューズメント本部で一括して管理することができるから、各アミューズメント店舗が独自に景品を発注することによるデータの散在を防ぐことができ、発注した景品データをアミューズメント本部が一元的に管理することができる。
【００２５】
サーバ装置が景品データをカタログの各ページ毎に区分して記憶し、選択されたカタログデータの指令されたページにおける景品データを本部端末装置に送信する発注システムは、カタログ雑誌のページ情報が電子データとしてサーバ装置に一元的に管理され、本部端末装置によってカタログのページを検索することができ、本部端末装置を介して希望のカタログの希望のページに掲載された景品データを迅速に検索することができる。この発注システムは、選択したカタログ雑誌の希望のページを指定することが可能であり、カタログのページを指定しつつそのページから購入予定の景品を選ぶことができ、ページを手がかりとして購入予定の景品をアミューズメント本部において速やかに選び出すことができる。
【００２６】
サーバ装置が景品データを景品カタログに掲載された景品の景品種別に区分して記憶し、選択されたカタログデータの選択された景品種別に対応する景品データを本部端末装置に送信する発注システムは、カタログ雑誌に掲載された景品の景品種別情報が電子データとしてサーバ装置に一元的に管理され、本部端末装置によって景品種別を検索することができ、本部端末装置を介してカタログの中から希望の景品種別の景品データのみを迅速に検索することができる。この発注システムは、選択したカタログ雑誌の中から希望の景品種別を選択することが可能であり、景品種別を選択しつつその景品種別に属する景品の中から購入予定の景品を選ぶことができ、景品種別を手がかりとして購入予定の景品をアミューズメント本部において速やかに選び出すことができる。
【００２７】
サーバ装置が景品データを景品カタログに掲載された景品の製造メーカー別に区分して記憶し、選択されたカタログデータの選択されたメーカーに対応する景品データを本部端末装置に送信する発注システムは、カタログ雑誌に掲載された景品のメーカー情報が電子データとしてサーバ装置に一元的に管理され、本部端末装置によってメーカーを検索することができ、本部端末装置を介してカタログの中から希望のメーカーの景品データのみを迅速に検索することができる。この発注システムは、選択したカタログの中から希望のメーカーを選択することが可能であり、メーカーを選択しつつそのメーカーが製造する景品の中から購入予定の景品を選ぶことができ、メーカーを手がかりとして購入予定の景品をアミューズメント本部において速やかに選び出すことができる。
【００２８】
サーバ装置が景品データを景品カタログに掲載されたイメージキャラクター別に区分して記憶し、選択されたカタログデータの選択されたキャラクターに対応する景品データを本部端末装置に送信する受発注システムは、カタログ雑誌に掲載された景品のキャラクター情報が電子データとしてサーバ装置に一元的に管理され、本部端末装置によってキャラクターを検索することができ、本部端末装置を介してカタログの中から希望のキャラクターの景品データのみを迅速に検索することができる。この発注システムは、選択したカタログの中から希望のイメージキャラクターを選択することが可能であり、キャラクターを選択しつつそのキャラクターに関連する景品の中から購入予定の景品を選ぶことができ、キャラクターを手がかりとして購入予定の景品をアミューズメント本部において速やかに選び出すことができる。
【００２９】
サーバ装置が景品データを景品カタログに掲載された景品のサイズ別に区分して記憶し、選択されたカタログデータの選択されたサイズに対応する景品データを本部端末装置に送信する発注システムは、カタログ雑誌に掲載された景品のサイズ情報が電子データとしてサーバ装置に一元的に管理され、本部端末装置によって景品のサイズを検索することができ、本部端末装置を介してカタログの中から希望のサイズの景品データのみを迅速に検索することができる。この発注システムは、選択したカタログの中から希望のサイズを選択することが可能であり、サイズを選択しつつそのサイズに該当する景品の中から購入予定の景品を選ぶことができ、サイズを手がかりとして購入予定の景品をアミューズメント本部において速やかに選び出すことができる。
【００３０】
サーバ装置が景品データを景品カタログに掲載された景品の価格帯別に区分して記憶し、選択されたカタログデータの選択された価格帯に対応する景品データを本部端末装置に送信する発注システムは、カタログ雑誌に掲載された景品の価格帯情報が電子データとしてサーバ装置に一元的に管理され、本部端末装置によって景品の価格帯を検索することができ、本部端末装置を介してカタログの中から希望の価格帯の景品データのみを迅速に検索することができる。この発注システムは、選択したカタログの中から希望の価格帯を選択することが可能であり、価格帯を選択しつつその価格帯の景品の中から購入予定の景品を選ぶことができ、価格帯を手がかりとして購入予定の景品をアミューズメント本部において速やかに選び出すことができる。
【００３１】
サーバ装置が景品データを景品カタログに掲載された景品のコード別に区分して記憶し、選択されたカタログデータの選択されたコードに対応する景品データを本部端末装置に送信する発注システムは、カタログ雑誌に掲載された景品のコード情報が電子データとしてサーバ装置に一元的に管理され、本部端末装置によってコードを検索することができ、本部端末装置を介してカタログの中から希望のコードの景品データのみを迅速に検索することができる。この発注システムは、選択したカタログの中から希望のコードを選択することが可能であり、コードを選択しつつそのコードの景品の中から購入予定の景品を選ぶことができ、コードを手がかりとして購入予定の景品をアミューズメント本部において速やかに選び出すことができる。
【００３２】
サーバ装置が景品データを景品カタログに掲載された景品の景品名別に区分して記憶し、選択されたカタログデータの選択された景品名に対応する景品データを本部端末装置に送信する発注システムは、カタログ雑誌に掲載された景品の景品名情報が電子データとしてサーバ装置に一元的に管理され、本部端末装置によって景品名を検索することができ、本部端末装置を介してカタログの中から希望の景品名の景品データのみを迅速に検索することができる。この発注システムは、選択したカタログの中から希望の景品名を選択することが可能であり、景品名を選択しつつその景品名の景品の中から購入予定の景品を選ぶことができ、景品名を手がかりとして購入予定の景品をアミューズメント本部において速やかに選び出すことができる。
【００３３】
サーバ装置がアミューズメント店舗の利用者に提供する各種複数の景品の景品データを記憶し、インターネットを介してそれら景品データを本部端末装置に送信する発注システムは、各種複数の景品が電子データとしてサーバ装置に一元的に管理され、それら景品データがサーバ装置から本部端末装置に送信されるから、本部端末装置を介して各種複数の景品データの中から必要なそれを迅速に検索することができ、アミューズメント本部において購入予定の景品を速やかに選び出すことができる。この発注システムは、それを利用することで、不足した景品を仕入先にタイムリーかつ迅速に注文することができ、各アミューズメント店舗における景品の品切れを防ぐことができる。発注システムは、本部端末装置において選択された購入予定の景品データがサーバ装置から店舗端末装置に送信され、店舗端末装置を介して購入予定の景品データから購入希望の景品データを選択することができ、各アミューズメント店舗において必要な景品のみを選び出すことができる。この発注システムは、仕入先に発注すべき景品データをアミューズメント本部で管理することができるから、各アミューズメント店舗が独自に景品を発注することによるデータの散在を防ぐことができ、発注した景品データをアミューズメント本部が一元的に管理することができる。
【００３４】
サーバ装置が景品データを景品の景品種別に区分して記憶し、選択された景品種別に対応する景品データを本部端末装置に送信する発注システムは、景品の景品種別情報が電子データとしてサーバ装置に一元的に管理され、本部端末装置によって景品種別を検索することができ、本部端末装置を介して希望の景品種別の景品データのみを迅速に検索することができる。この発注システムは、各種複数の景品種別の中から希望の景品種別を選択することが可能であり、景品種別を選択しつつその景品種別に属する景品の中から購入予定の景品を選ぶことができ、景品種別を手がかりとして購入予定の景品をアミューズメント本部において速やかに選び出すことができる。
【００３５】
サーバ装置が景品データを景品の製造メーカー別に区分して記憶し、選択されたメーカーに対応する景品データを本部端末装置に送信する発注システムは、景品の製造メーカー情報が電子データとしてサーバ装置に一元的に管理され、本部端末装置によってメーカーを検索することができ、本部端末装置を介して希望のメーカーの景品データのみを迅速に検索することができる。この発注システムは、各種複数のメーカーの中から希望のメーカーを選択することが可能であり、メーカーを選択しつつそのメーカーが製造する景品の中から購入予定の景品を選ぶことができ、メーカーを手がかりとして購入予定の景品をアミューズメント本部において速やかに選び出すことができる。
【００３６】
サーバ装置が景品データをイメージキャラクター別に区分して記憶し、選択されたキャラクターに対応する景品データを本部端末装置に送信する受発注システムは、景品のキャラクター情報が電子データとしてサーバ装置に一元的に管理され、本部端末装置によってキャラクターを検索することができ、本部端末装置を介して希望のキャラクターの景品データのみを迅速に検索することができる。この発注システムは、各種複数のイメージキャラクターの中から希望のキャラクターを選択することが可能であり、キャラクターを選択しつつそのキャラクターに関連する景品の中から購入予定の景品を選ぶことができ、キャラクターを手がかりとして購入予定の景品をアミューズメント本部において速やかに選び出すことができる。
【００３７】
サーバ装置が景品データを景品のサイズ別に区分して記憶し、選択されたサイズに対応する景品データを本部端末装置に送信する発注システムは、景品のサイズ情報が電子データとしてサーバ装置に一元的に管理され、本部端末装置によって景品のサイズを検索することができ、本部端末装置を介して希望のサイズの景品データのみを迅速に検索することができる。この発注システムは、各種複数のサイズの中から希望のサイズを選択することが可能であり、サイズを選択しつつそのサイズに該当する景品の中から購入予定の景品を選ぶことができ、サイズを手がかりとして購入予定の景品をアミューズメント本部において速やかに選び出すことができる。
【００３８】
サーバ装置が景品データを景品の価格帯別に区分して記憶し、選択された価格帯に対応する景品データを本部端末装置に送信する発注システムは、景品の価格帯情報が電子データとしてサーバ装置に一元的に管理され、本部端末装置によって景品の価格帯を検索することができ、本部端末装置を介して希望の価格帯の景品データのみを迅速に検索することができる。この発注システムは、各種複数の価格帯の中から希望の価格帯を選択することが可能であり、価格帯を選択しつつその価格帯の景品の中から購入予定の景品を選ぶことができ、価格帯を手がかりとして購入予定の景品をアミューズメント本部において速やかに選び出すことができる。
【００３９】
サーバ装置が景品データを景品のコード別に区分して記憶し、選択されたコードに対応する景品データを本部端末装置に送信する発注システムは、景品のコード情報が電子データとしてサーバ装置に一元的に管理され、本部端末装置によってコードを検索することができ、本部端末装置を介して希望のコードの景品データのみを迅速に検索することができる。この発注システムは、各種複数のコードの中から希望のコードを選択することが可能であり、コードを選択しつつそのコードの景品の中から購入予定の景品を選ぶことができ、コードを手がかりとして購入予定の景品をアミューズメント本部において速やかに選び出すことができる。
【００４０】
サーバ装置が景品データを景品の景品名別に区分して記憶し、選択された景品名に対応する景品データを本部端末装置に送信する発注システムは、景品の景品名情報が電子データとしてサーバ装置に一元的に管理され、本部端末装置によって景品名を検索することができ、本部端末装置を介して希望の景品名の景品データのみを迅速に検索することができる。この発注システムは、各種複数の景品名の中から希望の景品名を選択することが可能であり、景品名を選択しつつその景品名の景品の中から購入予定の景品を選ぶことができ、景品名を手がかりとして購入予定の景品をアミューズメント本部において速やかに選び出すことができる。
【発明を実施するための最良の形態】
【００４１】
添付の図面を参照し、本発明に係る発注システムの詳細を説明すると、以下のとおりである。図１は、一例として示す発注システム１０の構成図である。この発注システム１０は、複数のアミューズメント店舗１１，１２に設置された店舗端末装置１３，１４と、それらアミューズメント店舗１１，１２を管理するアミューズメント本部１５に設置された本部端末装置１６と、アミューズメント店舗１１，１２に各種景品を販売納入する複数の仕入先１７，１８に設置された仕入先端末装置１９，２０と、それら景品に関する情報をアミューズメント店舗１１，１２（店舗端末装置１３，１４）やアミューズメント本部１５（本部端末装置１６）、仕入先１７，１８（仕入先端末装置１９，２０）に提供（送信）する発注管理サーバ２１（サーバ装置）とから形成されている。
【００４２】
アミューズメント店舗１１，１２には、各種複数の遊技機（ゲーム機）が設置されている。景品は、アミューズメント店舗１１，１２の利用者の遊戯に対して提供される。なお、図１では、アミューズメント店舗１１，１２や仕入先１７，１８を２つ図示しているが、実際には３つ以上のアミューズメント店舗および仕入先が存在する。また、アミューズメント店舗１１，１２やアミューズメント本部１５、仕入先１７，１８において１つの端末装置１３，１４，１６，１９，２０を図示しているが、実際には２つ以上の端末装置がアミューズメント店舗１１，１２やアミューズメント本部１５、仕入先１７，１８に設置されている。
【００４３】
発注管理サーバ２１は、このシステム１０を提供する事業者が保有管理している。サーバ２１は、中央処理部（ＣＰＵまたはＭＰＵ）とメモリとを備えたコンピュータであり、ＤＮＳ機能、データベース機能、Ｗｅｂ機能を有する。サーバ２１は、インターネット２２に接続可能であり、インターネット２２を利用することで、店舗端末装置１３，１４や本部端末装置１６、仕入先端末装置１９，２０のみならず、不特定多数のサーバにアクセスかつログインすることができる。サーバ２１には、図示はしていないが、大容量ハードディスクが内蔵され、キーボードやマウス等の入力装置、ディスプレイやプリンタ等の出力装置がインターフェイスを介して接続されている。
【００４４】
サーバ２１のメモリには、発注管理アプリケーション、ＤＮＳ（Domain  Name  System）アプリケーション、ＤＢＭＳ（Database  Management  System）アプリケーション等が格納されている。サーバ２１のハードディスクには、景品関係データファイルが作られている。サーバ２１は、ＩＰアドレスとドメイン名との対応づけを行うとともに、記憶したカタログデータや景品データをＨＴＭＬに変換した後、それらデータを店舗端末装置１３，１４や本部端末装置１６、仕入先端末装置１９，２０に送信し、それらデータをそれら端末装置１３，１４，１６，１９，２０において閲覧可能とする。
【００４５】
サーバ２１の中央処理部は、オペレーティングシステムによる制御に基づいて、メモリに格納された各アプリケーションを起動し、起動したアプリケーションに従って、以下の各手段を実行する。サーバ２１の中央処理部は、各種複数の景品を掲載した各種複数の景品カタログのカタログデータを記憶しつつ、それら景品カタログに掲載された各種複数の景品の景品データをカタログデータ別に区分して記憶するカタログ情報記憶手段を実行し、本部端末装置１６がカタログデータを要求したときに、それらカタログデータを本部端末装置１６に送信するカタログデータ送信手段を実行する。
【００４６】
サーバ２１の中央処理部は、本部端末装置１６がカタログデータ送信手段によって送信されたそれらカタログデータの中から少なくとも一つのそれを選択したときに、選択されたカタログデータに対応する景品データを本部端末装置１６に送信する景品データ第１送信手段を実行し、本部端末装置１５が景品データ第１送信手段によって送信されたそれら景品データの中から購入予定の景品データを選択したときに、選択された購入予定景品データをそれら店舗端末装置１３，１４に送信する購入予定景品データ第１送信手段を実行する。中央処理部は、店舗端末装置１３，１４が購入予定景品データ第１送信手段によって送信されたそれら購入予定景品データの中から購入希望の景品データを選択したときに、選択された購入希望景品データを本部端末装置１６に送信する購入希望景品データ第１送信手段を実行し、本部端末装置１６がそれら購入希望景品データの発注を要請したときに、購入希望景品データに対応する景品の発注伝票を作成する発注伝票作成手段を実行する。さらに、購入希望景品データ（作成した発注伝票）を店舗端末装置１３，１４と仕入先端末装置１９，２０とに送信する発注景品データ第１送信手段を実行する。
【００４７】
サーバ２１の中央処理部は、カタログに掲載された景品およびカタログに非掲載の景品の景品データを記憶する景品情報記憶手段を実行し、本部端末装置１６が景品データを要求したときに、景品情報記憶手段によって記憶したそれら景品データを本部端末装置１６に送信する景品データ第２送信手段を実行する。中央処理部は、本部端末装置１６が景品データ第２送信手段によって送信されたそれら景品データの中から購入予定の景品データを選択したときに、選択された購入予定景品データをそれら店舗端末装置１３，１４に送信する購入予定景品データ第２送信手段を実行し、店舗端末装置１３，１４が購入予定景品データ第２送信手段によって送信されたそれら購入予定景品データの中から購入希望の景品データを選択したときに、選択された購入希望景品データを本部端末装置１５に送信する購入希望景品データ第２送信手段を実行する。中央処理部は、本部端末装置１５がそれら購入希望景品データの発注を要請したときに、購入希望景品データに対応する景品の発注伝票を作成する発注伝票作成手段を実行し、購入希望景品データ（作成した発注伝票）を店舗端末装置１３，１４と仕入先端末装置１９，２０とに送信する発注景品データ第２送信手段を実行する。
【００４８】
店舗端末装置１３，１４は、アミューズメント店舗１１，１２が保有管理している。本部端末装置１６は、アミューズメント本部１５が保有管理している。仕入先端末装置１９，２０は、メーカーや卸売業者、小売業者等の景品の仕入先１７，１８が保有管理している。店舗端末装置１３，１４や本部端末装置１６、仕入先端末装置１９，２０は、中央処理部（ＣＰＵまたはＭＰＵ）とメモリとを備えたコンピュータであり、ＤＮＳサーバ機能、データベースサーバ機能、Ｗｅｂサーバ機能を有する。それら端末装置１３，１４，１６，１９，２０には、大容量ハードディスクが内蔵され、キーボードやマウス等の入力装置、ディスプレイ２３，２４，２５やプリンタ（図示せず）等の出力装置がインターフェイスを介して接続されている。それら端末装置１３，１４，１６，１９，２０は、インターネット２２に接続可能であり、インターネット２２を利用することで、サーバ２１にアクセスかつログインすることができる。このシステム１０では、発注管理サーバ２１や店舗端末装置１３，１４、本部端末装置１６、仕入先端末装置１９，２０がインターネット２２を介してネットワークを形成している。
【００４９】
図２〜図５は、カタログ検索の一例を説明する図である。図２〜図５は、本部端末装置１６のディスプレイ２３に表示された表示画面の一例を示す。それら図に基づいて、アミューズメント本部１５におけるカタログ検索の一例を説明すると、以下のとおりである。なお、発注管理サーバ２１のハードディスクには、以下の各データが格納されている。サーバ２１に格納されるデータには、カタログデータ、景品データ、ページデータ、景品種別データ、景品の製造メーカーデータ、景品のイメージキャラクターデータ、景品のサイズデータ、景品の価格帯データ、景品のコードデータ、景品の景品名データがある。
【００５０】
カタログデータには、仕入先識別番号、仕入先支店識別番号、各種カタログを識別するためのカタログ識別番号、カタログ名、カタログの発行年月日がある。カタログデータには、カタログのページを識別するためのページデータ（ページ識別番号）が関連付けられているとともに、カタログに掲載された景品の景品データ（景品識別番号）が関連付けられている。
【００５１】
景品データには、仕入先識別番号、仕入先支店識別番号、各種景品を識別するための景品識別番号、景品単価がある。景品データには、景品の景品種別を識別するための景品種別データ（景品種別識別番号）や景品の製造メーカーを識別するためのメーカーデータ（メーカー識別番号）が設定され、景品のイメージキャラクターを識別するためのキャラクターデータ（キャラクター識別番号）や景品のサイズを識別するためのサイズデータ（サイズ識別番号）が設定されている。また、景品の価格帯を識別するための価格帯データ（価格帯識別番号）や景品のコードを識別するためのコードデータ（コード識別番号）が設定され、景品の景品名を識別するための景品名データ（景品名識別番号）が設定されている。カタログに掲載された景品データには、そのカタログを識別するためのカタログ識別番号が設定されている。
【００５２】
サーバ２１は、仕入先識別番号や仕入先支店識別番号を参照しつつ、カタログデータを仕入先別かつ仕入先支店別に区分した状態でハードディスクの景品関係データファイルに格納する（カタログ情報記憶手段）。サーバ２１は、カタログデータとそのカタログデータに対応するカタログのページデータとを参照しつつ、景品データを各カタログ別かつ各ページ別に区分し得るように、カタログ識別番号とページ識別番号とを景品データに設定する。サーバ２１は、仕入先識別番号や仕入先支店識別番号を参照しつつ、カタログデータに掲載された景品の景品データを仕入先別かつ仕入先支店別に区分した状態でハードディスクの景品関係データファイルに格納する（カタログ情報記憶手段）。
【００５３】
サーバ２１は、景品種別データやメーカーデータ、キャラクターデータ、サイズデータ、価格帯データ、コードデータ、景品名データを景品データに設定した後、仕入先識別番号や仕入先支店識別番号を参照しつつ、それら景品データを仕入先別かつ仕入先支店別に区分した状態でハードディスクの景品関係データファイルに格納する（景品情報記憶手段）。
【００５４】
ページデータは、カタログデータを各ページ毎に区分する。ページデータを指定することで、カタログデータのページを特定しつつそのページに掲載された景品データを抽出することができる。景品種別データは、それら景品データを景品種別に区分する。景品種別データを指定することで、景品種別毎に分類された状態の景品データを抽出することができ、景品種別を特定しつつその景品種別に対応する景品データを特定することができる。メーカーデータは、それら景品データを景品の製造メーカー別に区分する。メーカーデータを指定することで、製造メーカー毎に分類された状態の景品データを抽出することができ、メーカーを特定しつつそのメーカーに対応する景品データを特定することができる。
【００５５】
キャラクターデータは、それら景品データをイメージキャラクター別に区分する。キャラクターデータを指定することで、キャラクター毎に分類された状態の景品データを抽出することができ、キャラクターを特定しつつそのキャラクターに対応する景品データを特定することができる。サイズデータは、それら景品データをサイズ別に区分する。サイズデータを指定することで、サイズ毎に分類された状態の景品データを抽出することができ、サイズを特定しつつそのサイズに対応する景品データを特定することができる。
【００５６】
価格帯データは、それら景品データを価格帯別に区分する。価格帯データを指定することで、価格帯毎に分類された状態の景品データを抽出することができ、価格帯を特定しつつその価格帯に対応する景品データを特定することができる。コードデータは、それら景品データをコード別に区分する。コードデータを指定することで、コード毎に分類された状態の景品データを抽出することができ、コードを特定しつつそのコードに対応する景品データを特定することができる。景品名データは、それら景品データを景品名別に区分する。景品名データを指定することで、景品名毎に分類された状態の景品データを抽出することができ、景品名を特定しつつその景品名に対応する景品データを特定することができる。
【００５７】
店舗端末装置１３，１４や本部端末装置１６、仕入先端末装置１９，２０を起動させた後、それら端末装置１３，１４，１６，１９，２０をインターネット２２に接続し、インターネット２２を介してそれら端末装置１３，１４，１６，１９，２０を発注管理サーバ２１にログインさせる。サーバ２１は、それら端末装置１３，１４，１６，１９，２０のログイン時に所定の認証手続を要求する。認証では、それら端末装置１３，１４，１６，１９，２０に発注管理アプリケーションを利用させる正当性があるかを判断する。認証方式は、パスワード認証であるが、パスワード認証の他に、指紋認証や声紋認証、網膜認証、ＩＣカード認証を行うこともできる。なお、パスワード認証としては、ワンタイムパスワードを採用することもできる。
【００５８】
店舗端末装置１３，１４や本部端末装置１６、仕入先端末装置１９，２０をインターネット２２に接続した後、発注管理サーバ２１のＵＲＬを利用してサーバ２１にアクセスする。サーバ２１は、それら端末装置１３，１４，１６，１９，２０のディスプレイ２３，２４，２５に認証画面（図示せず）を表示させる。認証画面には、ユーザ名の入力エリアとパスワードの入力エリアとが表示される。アミューズメント店舗１１，１２やアミューズメント本部１６、仕入先１７，１８は、それら入力エリアにユーザ名とパスワードとを入力した後、ログインボタンを押す。サーバ２１は、入力されたユーザ名およびパスワードをメモリに格納されたそれらと比較し、ユーザ名およびパスワードの正誤を判断する。ユーザ名およびパスワードが正しく認証結果が可である場合、サーバ２１は、店舗端末装置１３，１４や本部端末装置１６、仕入先端末装置１９，２０のサーバ２１へのログインを許可する。ユーザ名やパスワードが誤っていて認証結果が不可である場合、サーバ２１は、それら端末装置１３，１４，１６，１９，２０のディスプレイ２３，２４，２５にユーザ名やパスワードの誤りメッセージを表示するとともに、ログイン不可メッセージを表示する。
【００５９】
本部端末装置１６がサーバ２１へログインすると、サーバ２１は、端末装置１１６のディスプレイ２３に初期画面（図示せず）を表示させる。初期画面には、一括購入ボタン、本部購入ボタン、ログアウトボタンが表示される。一括購入ボタンは、アミューズメント本部１６が各アミューズメント店舗１３，１４から購入希望景品を募集し、それら景品を本部１６が一括して仕入先に発注する場合に使用する。本部購入ボタンは、アミューズメント本部１６のみで景品を購入する場合に使用する。以下、一括購入について説明する。
【００６０】
初期画面から一括購入を選択すると、図２に示すように、ディスプレイに一括購入入力画面が表示される。一括購入入力画面には、ホームボタン、一括発注ボタン、ログアウトボタン、申込開始日入力エリア、仕入先プルダウンリスト、仕入先支店プルダウンリスト、カタログ検索ボタン（Ｂ１）、景品検索ボタン（Ｂ２）、最近発注ボタン（Ｂ３）、購入予定景品表示エリア（Ａ１）、検索条件入力エリア（Ａ２）、検索一覧表示エリア（Ａ３）が表示される。検索条件入力エリア（Ａ２）には、検索ボタン（Ｂ４）が表示される。検索一覧表示エリア（Ａ３）には、コード表示エリア、品名表示エリア、単価表示エリアが表示される。
【００６１】
仕入先プルダウンリストから仕入先を選択し（全発注先選択可）、仕入先支店プルダウンリストから仕入先支店を選択する（全支店選択可）。さらに、申込開始日入力エリアに申込開始日を入力する。仕入先と仕入先支店とを選択すると、サーバ２１は、選択された仕入先の選択された仕入先支店における景品関係データファイルをハードディスクから取り出す。カタログを検索するには、カタログ検索ボタン（Ｂ１）を押す。カタログ検索ボタン（Ｂ１）を押すと、図３に示すように、検索条件入力エリア（Ａ２）に各種の条件選択ボタンが表示される。条件選択ボタンには、カタログ選択ボタン（Ｂ５）、ページ選択ボタン（Ｂ６）、景品種別選択ボタン（Ｂ７）、メーカー選択ボタン（Ｂ８）、キャラクター選択ボタン（Ｂ９）、サイズ選択ボタン（Ｂ１０）、価格帯選択ボタン（Ｂ１１）、コード選択ボタン（Ｂ１２）、景品名選択ボタン（Ｂ１３）がある。入力装置によってカタログ選択ボタン（Ｂ５）を押す。カタログ選択ボタン（Ｂ５）を押すと、図４に示すように、一括購入入力画面にカタログ選択プルダウンリスト（Ｌ１）が表示され、プルダウンリスト（Ｌ１）から希望のカタログを選択する（全カタログ選択可）。
【００６２】
カタログを選択した後、ページ選択ボタン（Ｂ６）を押す。ページ選択ボタン（Ｂ６）を押すと、図５に示すように、一括購入入力画面にページ入力エリア（Ａ４）が表示される。ページ入力エリア（Ａ４）に希望のページを入力する。具体的には、ページ数（１）を入力するとカタログの１ページを指定したことになり、ページ数（１）〜（５）を入力すると、カタログの１ページから５ページまでを指定したことになる。また、ページ入力エリア（Ａ４）をブランクにすると、カタログの全ページを指定したことになる。図５では、ページ入力エリア（Ａ４）に（１）が入力されたものとする。ページを入力した後、検索ボタン（Ｂ４）を押すと、サーバ２１は、選択された仕入先の支店における選択されたカタログのカタログデータをハードディスクの景品関係データファイルから抽出しつつ、抽出したカタログデータの指定されたページにおける景品データを景品関係データファイルから抽出し、抽出したそれら景品データを本部端末装置１６に送信する（カタログデータ送信手段、景品データ第１送信手段）。本部端末装置１６のディスプレイ２３には、サーバ２１から送信された景品データが表示される。検索一覧表示エリア（Ａ３）のコード表示エリアには景品のコードが表示され、品名表示エリアには景品名が表示され、単価表示エリアには景品の単価が表示される（図５参照）。
【００６３】
図６〜図８は、仕入先１７，１８への一括発注を説明する図である。図９は、本部端末装置１６や仕入先端末装置１９，２０のディスプレイ２３，２５に表示された発注伝票の一例を示す図であり、図１０は、本部端末装置１６や仕入先端末装置１９，２０のディスプレイ２３，２５に表示された配送伝票の一例を示す図である。それら図に基づいて、仕入先１７，１８への発注の一例を説明すると、以下のとおりである。本部端末装置１６では、検索一覧表示エリア（Ａ３）に表示された景品データのうち、購入予定の景品データを選択する。具体的には、検索一覧表示エリア（Ａ３）に表示された景品データのうち、購入予定の景品データ上にカーソルを移動させ、そのデータを反転させる。データを反転させると、そのデータが購入予定景品表示エリア（Ａ１）に表示される。購入予定景品表示エリア（Ａ１）では、図６に示すように、カタログ表示エリアに選択したカタログ名が表示され、ページ表示エリアに指定したページが表示される。コード表示エリアに景品のコードが表示され、品名表示エリアに景品の品名が表示され、さらに、単価表示エリアに単価が表示されている。
【００６４】
本部端末装置１６では、購入予定景品データを選択した後、登録ボタン（Ｂ１６）を押す。登録ボタン（Ｂ１６）を押すと、サーバ２１は、本部端末装置１６によって選択された購入予定景品データを店舗端末装置１３，１４に送信する（購入予定景品データ第１送信手段）。店舗端末装置１３，１４のディスプレイ２４には、図７に示すように、締切日表示エリア、カタログ表示エリア、ページ表示エリア、コード表示エリア、品名表示エリア、数量表示エリア、単価表示エリア、金額表示エリアが表示される。締切日表示エリアには、申込の最終日が表示され、カタログ表示エリアにはカタログ名が表示される（図示せず）。ページ表示エリアにはカタログのページが表示され（図示せず）、コード表示エリアには景品のコードが表示される。品名表示エリアには景品に品名が表示され、単価表示エリアには景品の単価が表示される（図示せず）。店舗端末装置１３，１４では、それら景品の中から所定の景品の購入を希望する場合、購入希望の景品の数量表示エリアに希望数量を入力する。希望数量を入力すると、サーバ２１は、数量に単価を乗じて金額を算出し、算出した金額を金額表示エリアに表示する。なお、購入を希望しない景品については、数量表示エリアをブランクにするか、または、数量表示エリアに（０）を入力する。希望数量を入力した後、申込ボタンを押すと、希望数量がサーバ２１に送信される。
【００６５】
サーバ２１は、店舗端末装置１３，１４によって選択された購入希望景品データを本部端末装置１６に送信する（購入希望景品データ第１送信手段）。購入希望景品データは、本部端末装置１６のディスプレイ２３の購入予定景品表示エリア（Ａ１）に表示される。購入予定景品表示エリア（Ａ１）では、図８に示すように、コード表示エリアに景品のコードが表示され、品名表示エリアに景品の品名が表示され、数量表示エリアに各店舗から入力された数量の合計数量が表示される。さらに、単価表示エリアに単価が表示され、金額表示エリアに合計数量に単価を乗じた金額が表示される。
【００６６】
次に、メール送信チェックボックス（Ｂ１４）にチェックマークを入れ、印刷チェックボックス（Ｂ１５）にチェックマークを入れた後、登録ボタン（Ｂ１６）を押す。登録ボタン（Ｂ１６）を押すと、サーバ２１は、本部端末装置１６から購入希望景品データの発注要請を受信し、購入予定景品表示エリア（Ａ１）に表示された景品データに基づいて発注希望景品データの景品の発注伝票を作成するとともに（発注伝票作成手段）、発注希望景品データの景品の配送店舗を指定する配送伝票を作成する（配送伝票作成手段）。サーバ１９は、作成した発注伝票および配送伝票をハードディスクの景品関係データファイルに格納するとともに、発注伝票および配送伝票をインターネット２２を介して施設端末装置１３，１４や本部端末装置１６、仕入先端末装置１９，２０に送信する（発注景品データ第１送信手段）。サーバ１９から送信された発注伝票および配送伝票は、図９，１０に示すように、施設端末装置１３，１４や本部端末装置１６、仕入先端末装置１９，２０のディスプレイ２３，２４，２５に表示される。発注伝票や配送伝票は、プリンタから出力することができる。仕入先１７，１８は、発注伝票および配送伝票を受信することで、景品の注文を受け付けるとともに、配送先店舗を特定する。
【００６７】
発注システム１０は、発注管理サーバ２１が各種複数の景品の景品データをカタログ別に区分して記憶し、各種複数のカタログ雑誌が電子データとしてサーバに一元的に管理され、インターネット２２を介してカタログデータがサーバ２１から本部端末装置１６に送信されるから、端末装置１６を介して各種複数のカタログデータの中から必要なそれを迅速に検索することができる。発注システム１０は、本部端末装置１６において各種複数のカタログの中から希望のそれを選択することができ、アミューズメント本部１５において各所に散在するカタログ雑誌を見つけ出す必要はなく、カタログ雑誌を見つける手間と時間とを省くことができる。
【００６８】
発注システム１０は、カタログの他にそこに掲載された景品が電子データとしてサーバ２１に一元的に管理され、インターネット２２を介して景品データがサーバ２１から本部端末装置１６に送信されるから、端末装置１６を介して各種複数の景品データの中から必要なそれを迅速に検索することができる。発注システム１０は、端末装置１６においてカタログを選択しつつ購入希望の景品をそのカタログから選ぶことができ、カタログを手でめくりながら景品を探し出す必要はなく、アミューズメント本部１５において購入希望の景品を速やかに選び出すことができる。
【００６９】
発注システム１０は、サーバ２１が景品データをカタログの各ページ毎に区分して記憶し、カタログ雑誌のページ情報が電子データとしてサーバ２１に一元的に管理され、インターネット２２を介してページデータが本部端末装置１６に送信されるから、端末装置１６を介してカタログの中から必要なページのみを迅速に検索することができる。発注システム１０は、選択したカタログ雑誌の希望のページを指定することが可能であり、カタログのページを指定しつつそのページから発注する景品を選ぶことができ、ページを手がかりとして発注する景品をアミューズメント本部１５において速やかに選び出すことができる。
【００７０】
発注システム１０は、本部端末装置１６において選択された購入予定の景品データがサーバ２１から店舗端末装置１３，１４に送信され、店舗端末装置１３，１４を介して購入予定の景品データから購入希望の景品データを選択することができ、各アミューズメント店舗１１，１２において必要な景品のみを選び出すことができる。発注システム１０は、仕入先に発注すべき景品データをアミューズメント本部１５で一括して管理することができるから、各アミューズメント店舗１３，１４が独自に景品を発注することによるデータの散在を防ぐことができ、発注した景品データをアミューズメント本部１５が一元的に管理することができる。
【００７１】
図１１，図１２は、カタログ検索のうちの景品種別選択の一例を説明する図である。図１１，図１２では、すでにカタログが選択され、ページとして１〜５ページが指定されている。景品種別の選択では、カタログ検索およびページ指定を行った後、景品種別を選択し、景品種別に対応する景品から購入予定の景品を選択する。なお、ページ指定を行うことなく、カタログ検索を行った後、景品種別を選択し、景品種別に対応する景品から購入予定の景品を選択することもできる。それら図に基づいて、景品種別選択の一例を説明すると、以下のとおりである。認証手続きやカタログ検索、ページ指定の手順は図２〜図５において説明したそれらと同一であるから、図２〜図５を援用し、それらの説明は省略する。景品種別選択では、景品種別以外の他の項目の選択は行わないものとする。
【００７２】
カタログを選択し、ページを指定した後、必要があれば、景品種別を選択する。景品種別ボタン（Ｂ７）を押すと、景品種別のプルダウンリスト（Ｌ２）が表示される。プルダウンリスト（Ｌ２）から希望の景品種別を選び（複数選択可）、景品種別を選択する。景品種別をブランクにすると、全景品種別を選択したことになる。景品種別を選択した後、検索ボタン（Ｂ４）を押すと、サーバ２１は、選択された仕入先の支店における選択されたカタログのカタログデータをハードディスクの景品関係データファイルから抽出しつつ、抽出したカタログデータの指定されたページかつ選択された景品種別における景品データを景品関係データファイルから抽出し、抽出したそれら景品データを本部端末装置１６に送信する（カタログデータ送信手段、景品データ第１送信手段）。本部端末装置１６のディスプレイ２３には、サーバ２１から送信された景品データが表示される。検索一覧表示エリア（Ａ３）のコード表示エリアには景品のコードが表示され、品名表示エリアには景品名が表示され、単価表示エリアには景品の単価が表示される（図１１参照）。
【００７３】
本部端末装置１６では、検索一覧表示エリア（Ａ３）に表示された景品データのうち、購入予定の景品データを選択する。購入予定景品データの選択は、図６のそれと同一であり、図６を援用することでその説明は省略する。サーバ２１は、本部端末装置１６によって選択された購入予定景品データを店舗端末装置１３，１４に送信する（購入予定景品データ第１送信手段）。店舗端末装置１３，１４では、それら景品の中から所定の景品の購入を希望する場合、購入希望の景品の数量表示エリアに希望数量を入力する（図７援用）。希望数量を入力した後、申込ボタンを押すと、希望数量がサーバ２１に送信される。
【００７４】
サーバ２１は、店舗端末装置１３，１４によって選択された購入希望景品データを本部端末装置１６に送信する（購入希望景品データ第１送信手段）。購入希望景品データは、本部端末装置１６のディスプレイ２３の購入予定景品表示エリア（Ａ１）に表示される（図８援用）。次に、メール送信チェックボックス（Ｂ１４）にチェックマークを入れ、印刷チェックボックス（Ｂ１５）にチェックマークを入れた後、登録ボタン（Ｂ１６）を押す。
【００７５】
登録ボタン（Ｂ１６）を押すと、サーバ２１は、本部端末装置１６から購入希望景品データの発注要請を受信し、購入予定景品表示エリア（Ａ１）に表示された景品データに基づいて発注希望景品データの景品の発注伝票を作成するとともに（発注伝票作成手段）、発注希望景品データの景品の配送店舗を指定する配送伝票を作成する（配送伝票作成手段）。サーバ１９は、作成した発注伝票および配送伝票をハードディスクの景品関係データファイルに格納するとともに、発注伝票および配送伝票をインターネット２２を介して施設端末装置１３，１４や本部端末装置１６、仕入先端末装置１９，２０に送信する（発注景品データ第１送信手段）。サーバ１９から送信された発注伝票および配送伝票は、プリンタから出力されるとともに、施設端末装置１３，１４や本部端末装置１６、仕入先端末装置１９，２０のディスプレイ２３，２４，２５に表示される（図９，１０援用）。
【００７６】
発注システム１０は、サーバ２１が景品データを景品の景品種別に区分して記憶し、カタログ雑誌に掲載された景品の景品種別情報が電子データとしてサーバ２１に一元的に管理され、インターネット２２を介して景品種別データがサーバ２１から店舗端末装置１６に送信されるから、端末装置１６を介してカタログの中から必要な景品種別の景品のみを迅速に検索することができる。この発注システム１０は、選択したカタログ雑誌の中から希望の景品種別を選択することが可能であり、景品種別を選択しつつその景品種別に属する景品の中から購入予定の景品を選ぶことができ、景品種別を手がかりとして購入予定の景品をアミューズメント本部１５において速やかに選び出すことができる。
【００７７】
図１３，図１４は、カタログ検索のうちのメーカー選択の一例を説明する図である。図１３，図１４では、すでにカタログが選択され、ページとして１〜５ページが指定されている。メーカーの選択では、カタログ検索およびページ指定を行った後、製造メーカーを選択し、メーカーに対応する景品から購入予定の景品を選択する。なお、ページ指定を行うことなく、カタログ検索を行った後、メーカーを選択し、メーカーに対応する景品から購入予定の景品を選択することもできる。それら図に基づいて、メーカー選択の一例を説明すると、以下のとおりである。なお、認証手続きやカタログ検索、ページ指定の手順は図２〜図５において説明したそれらと同一であるから、図２〜図５を援用し、それらの説明は省略する。メーカー選択では、メーカー以外の他の項目の選択は行わないものとする。
【００７８】
カタログを選択し、ページを指定した後、必要があれば、景品の製造メーカーを選択する。メーカーボタン（Ｂ８）を押すと、メーカー入力エリアおよびメーカーのプルダウンリスト（Ｌ３）が表示される。メーカー入力エリアにメーカーを入力し（複数入力可）またはプルダウンリスト（Ｌ３）から希望のメーカーを選び（複数選択可）、メーカーを選択する。メーカーをブランクにすると、全メーカーを選択したことになる。メーカーを選択した後、検索ボタン（Ｂ４）を押すと、サーバ２１は、選択された仕入先の支店における選択されたカタログのカタログデータをハードディスクの景品関係データファイルから抽出しつつ、抽出したカタログデータの指定されたページかつ選択されたメーカーにおける景品データを景品関係データファイルから抽出し、抽出したそれら景品データを本部端末装置１６に送信する（カタログデータ送信手段、景品データ第１送信手段）。本部端末装置１１６のディスプレイ２３には、サーバ２１から送信された景品データが表示される。検索一覧表示エリア（Ａ３）のコード表示エリアには景品のコードが表示され、品名表示エリアには景品名が表示され、単価表示エリアには景品の単価が表示される（図１４参照）。
【００７９】
本部端末装置１６では、検索一覧表示エリア（Ａ３）に表示された景品データのうち、購入予定の景品データを選択する。購入予定景品データの選択は、図６のそれと同一であり、図６を援用することでその説明は省略する。サーバ２１は、本部端末装置１６によって選択された購入予定景品データを店舗端末装置１３，１４に送信する（購入予定景品データ第１送信手段）。店舗端末装置１３，１４では、それら景品の中から所定の景品の購入を希望する場合、購入希望の景品の数量表示エリアに希望数量を入力する（図７援用）。希望数量を入力した後、申込ボタンを押すと、希望数量がサーバ２１に送信される。
【００８０】
サーバ２１は、店舗端末装置１３，１４によって選択された購入希望景品データを本部端末装置１６に送信する（購入希望景品データ第１送信手段）。購入希望景品データは、本部端末装置１６のディスプレイ２３の購入予定景品表示エリア（Ａ１）に表示される（図８援用）。次に、メール送信チェックボックス（Ｂ１４）にチェックマークを入れ、印刷チェックボックス（Ｂ１５）にチェックマークを入れた後、登録ボタン（Ｂ１６）を押す。
【００８１】
登録ボタン（Ｂ１６）を押すと、サーバ２１は、本部端末装置１６から購入希望景品データの発注要請を受信し、購入予定景品表示エリア（Ａ１）に表示された景品データに基づいて発注希望景品データの景品の発注伝票を作成するとともに（発注伝票作成手段）、発注希望景品データの景品の配送店舗を指定する配送伝票を作成する（配送伝票作成手段）。サーバ１９は、作成した発注伝票および配送伝票をハードディスクの景品関係データファイルに格納するとともに、発注伝票および配送伝票をインターネット２２を介して施設端末装置１３，１４や本部端末装置１６、仕入先端末装置１９，２０に送信する（発注景品データ第１送信手段）。サーバ１９から送信された発注伝票および配送伝票は、プリンタから出力されるとともに、施設端末装置１３，１４や本部端末装置１６、仕入先端末装置１９，２０のディスプレイ２３，２４，２５に表示される（図９，１０援用）。
【００８２】
発注システム１０は、サーバ２１が景品データを景品の製造メーカー別に区分して記憶し、カタログ雑誌に掲載された景品の製造メーカー情報が電子データとしてサーバ２１に一元的に管理され、インターネット２２を介してメーカーデータがサーバ２１から本部端末装置１６に送信されるから、端末装置１６を介してカタログの中から所定のメーカーの景品のみを迅速に検索することができる。この発注システム１０は、選択したカタログ雑誌の中から希望の製造メーカーを選択することが可能であり、メーカーを選択しつつそのメーカーが製造する景品の中から購入予定の景品を選ぶことができ、メーカーを手がかりとして購入予定の景品をアミューズメント本部１５において速やかに選び出すことができる。
【００８３】
図１５，図１６は、カタログ検索のうちのキャラクター選択の一例を説明する図である。図１５，図１６では、すでにカタログが選択され、ページとして１〜５ページが指定されている。キャラクターの選択では、カタログ検索およびページ指定を行った後、キャラクターを選択し、キャラクターに対応する景品から購入予定の景品を選択する。なお、ページ指定を行うことなく、カタログ検索を行った後、キャラクターを選択し、キャラクターに対応する景品から購入予定の景品を選択することもできる。それら図に基づいて、キャラクター選択の一例を説明すると、以下のとおりである。認証手続きやカタログ検索、ページ指定の手順は図２〜図５において説明したそれらと同一であるから、図２〜図５を援用し、それらの説明は省略する。キャラクター選択では、キャラクター以外の他の項目の選択は行わないものとする。
【００８４】
カタログを選択し、ページを指定した後、必要があれば、キャラクターを選択する。キャラクターボタン（Ｂ９）を押すと、キャラクター入力エリアおよびキャラクターのプルダウンリスト（Ｌ４）が表示される。キャラクター入力エリアにキャラクターを入力し（複数入力可）またはプルダウンリスト（Ｌ４）から希望のキャラクターを選び（複数選択可）、キャラクターを選択する。キャラクターをブランクにすると、全キャラクターを選択したことになる。キャラクターを選択した後、検索ボタン（Ｂ４）を押すと、サーバ２１は、選択された仕入先の支店における選択されたカタログのカタログデータをハードディスクの景品関係データファイルから抽出しつつ、抽出したカタログデータの指定されたページかつ選択されたキャラクターにおける景品データを景品関係データファイルから抽出し、抽出したそれら景品データを本部端末装置１６に送信する（カタログデータ送信手段、景品データ第１送信手段）。本部端末装置１６のディスプレイ２３には、サーバ２１から送信された景品データが表示される。検索一覧表示エリア（Ａ３）のコード表示エリアには景品のコードが表示され、品名表示エリアには景品名が表示され、単価表示エリアには景品の単価が表示される（図１６参照）。
【００８５】
本部端末装置１６では、検索一覧表示エリア（Ａ３）に表示された景品データのうち、購入予定の景品データを選択する。購入予定景品データの選択は、図６のそれと同一であり、図６を援用することでその説明は省略する。サーバ２１は、本部端末装置１６によって選択された購入予定景品データを店舗端末装置１３，１４に送信する（購入予定景品データ第１送信手段）。店舗端末装置１３，１４では、それら景品の中から所定の景品の購入を希望する場合、購入希望の景品の数量表示エリアに希望数量を入力する（図７援用）。希望数量を入力した後、申込ボタンを押すと、希望数量がサーバ２１に送信される。
【００８６】
サーバ２１は、店舗端末装置１３，１４によって選択された購入希望景品データを本部端末装置１６に送信する（購入希望景品データ第１送信手段）。購入希望景品データは、本部端末装置１６のディスプレイ２３の購入予定景品表示エリア（Ａ１）に表示される（図８援用）。次に、メール送信チェックボックス（Ｂ１４）にチェックマークを入れ、印刷チェックボックス（Ｂ１５）にチェックマークを入れた後、登録ボタン（Ｂ１６）を押す。
【００８７】
登録ボタン（Ｂ１６）を押すと、サーバ２１は、本部端末装置１６から購入希望景品データの発注要請を受信し、購入予定景品表示エリア（Ａ１）に表示された景品データに基づいて発注希望景品データの景品の発注伝票を作成するとともに（発注伝票作成手段）、発注希望景品データの景品の配送店舗を指定する配送伝票を作成する（配送伝票作成手段）。サーバ１９は、作成した発注伝票および配送伝票をハードディスクの景品関係データファイルに格納するとともに、発注伝票および配送伝票をインターネット２２を介して施設端末装置１３，１４や本部端末装置１６、仕入先端末装置１９，２０に送信する（発注景品データ第１送信手段）。サーバ１９から送信された発注伝票および配送伝票は、プリンタから出力されるとともに、施設端末装置１３，１４や本部端末装置１６、仕入先端末装置１９，２０ディスプレイ２３，２４，２５に表示される（図９，１０援用）。
【００８８】
発注システム１０は、サーバ２１が景品データをイメージキャラクター別に区分して記憶し、カタログ雑誌に掲載された景品のキャラクター情報が電子データとしてサーバ２１に一元的に管理され、インターネット２２を介してキャラクターデータがサーバ２１から本部端末装置１６に送信されるから、端末装置１６を介してカタログの中から所定のキャラクターのみを迅速に検索することができる。この発注システム１０は、選択したカタログの中から希望のイメージキャラクターを選択することが可能であり、キャラクターを選択しつつそのキャラクターに関連する景品の中から購入予定の景品を選ぶことができ、キャラクターを手がかりとして購入予定の景品をアミューズメント本部１５において速やかに選び出すことができる。
【００８９】
図１７，図１８は、カタログ検索のうちのサイズ選択の一例を説明する図である。図１７，図１８では、すでにカタログが選択され、ページとして１〜５ページが指定されている。サイズの選択では、カタログ検索およびページ指定を行った後、サイズを選択し、サイズに対応する景品から購入予定の景品を選択する。なお、ページ指定を行うことなく、カタログ検索を行った後、サイズを選択し、サイズに対応する景品から購入予定の景品を選択することもできる。それら図に基づいて、サイズ選択の一例を説明すると、以下のとおりである。認証手続きやカタログ検索、ページ指定の手順は図２〜図５において説明したそれらと同一であるから、図２〜図５を援用し、それらの説明は省略する。サイズ選択では、サイズ以外の他の項目の選択は行わないものとする。
【００９０】
カタログを選択し、ページを指定した後、必要があれば、景品のサイズ（特大、大、中、小）を選択する。サイズボタン（Ｂ１０）を押すと、サイズのプルダウンリスト（Ｌ５）が表示され、プルダウンリスト（Ｌ５）から希望のサイズを選択する（複数指定可）。サイズをブランクにすると、全サイズを選択したことになる。サイズを選択した後、検索ボタン（Ｂ４）を押すと、サーバ２１は、選択された仕入先の支店における選択されたカタログのカタログデータをハードディスクの景品関係データファイルから抽出しつつ、抽出したカタログデータの指定されたページかつ選択されたサイズにおける景品データを景品関係データファイルから抽出し、抽出したそれら景品データを本部端末装置１６に送信する（カタログデータ送信手段、景品データ第１送信手段）。本部端末装置１６のディスプレイ２３には、サーバ２１から送信された景品データが表示される。検索一覧表示エリア（Ａ３）のコード表示エリアには景品のコードが表示され、品名表示エリアには景品名が表示され、単価表示エリアには景品の単価が表示される（図１８参照）。
【００９１】
本部端末装置１６では、検索一覧表示エリア（Ａ３）に表示された景品データのうち、購入予定の景品データを選択する。購入予定景品データの選択は、図６のそれと同一であり、図６を援用することでその説明は省略する。サーバ２１は、本部端末装置１６によって選択された購入予定景品データを店舗端末装置１３，１４に送信する（購入予定景品データ第１送信手段）。店舗端末装置１３，１４では、それら景品の中から所定の景品の購入を希望する場合、購入希望の景品の数量表示エリアに希望数量を入力する（図７援用）。希望数量を入力した後、申込ボタンを押すと、希望数量がサーバ２１に送信される。
【００９２】
サーバ２１は、店舗端末装置１３，１４によって選択された購入希望景品データを本部端末装置１６に送信する（購入希望景品データ第１送信手段）。購入希望景品データは、本部端末装置１６のディスプレイ２３の購入予定景品表示エリア（Ａ１）に表示される（図８援用）。次に、メール送信チェックボックス（Ｂ１４）にチェックマークを入れ、印刷チェックボックス（Ｂ１５）にチェックマークを入れた後、登録ボタン（Ｂ１６）を押す。
【００９３】
登録ボタン（Ｂ１６）を押すと、サーバ２１は、本部端末装置１６から購入希望景品データの発注要請を受信し、購入予定景品表示エリア（Ａ１）に表示された景品データに基づいて発注希望景品データの景品の発注伝票を作成するとともに（発注伝票作成手段）、発注希望景品データの景品の配送店舗を指定する配送伝票を作成する（配送伝票作成手段）。サーバ１９は、作成した発注伝票および配送伝票をハードディスクの景品関係データファイルに格納するとともに、発注伝票および配送伝票をインターネット２２を介して施設端末装置１３，１４や本部端末装置１６、仕入先端末装置１９，２０に送信する（発注景品データ第１送信手段）。サーバ１９から送信された発注伝票および配送伝票は、プリンタから出力されるとともに、施設端末装置１３，１４や本部端末装置１６、仕入先端末装置１９，２０のディスプレイ２３，２４，２５に表示される（図９，１０援用）。
【００９４】
発注システム１０は、サーバ２１が景品データを景品のサイズ別に区分して記憶し、カタログ雑誌に掲載された景品のサイズ情報が電子データとしてサーバ２１に一元的に管理され、インターネット２２を介してサイズデータがサーバ２１から本部端末装置１６に送信されるから、端末装置１６を介してカタログの中から所定のサイズの景品のみを迅速に検索することができる。この発注システム１０は、選択したカタログの中から景品の希望のサイズを選択することが可能であり、サイズを選択しつつそのサイズを有する景品の中から購入予定の景品を選ぶことができ、サイズを手がかりとして購入予定の景品をアミューズメント本部１５において速やかに選び出すことができる。
【００９５】
図１９，図２０は、カタログ検索のうちの価格帯選択の一例を説明する図である。図１９，図２０では、すでにカタログが選択され、ページとして１〜５ページが指定されている。価格帯の選択では、カタログ検索およびページ指定を行った後、価格帯を選択し、価格帯に対応する景品から購入予定の景品を選択する。なお、ページ指定を行うことなく、カタログ検索を行った後、価格帯を選択し、価格帯に対応する景品から購入予定の景品を選択することもできる。それら図に基づいて、価格帯選択の一例を説明すると、以下のとおりである。認証手続きやカタログ検索、ページ指定の手順は図２〜図５において説明したそれらと同一であるから、図２〜図５を援用し、それらの説明は省略する。価格帯選択では、価格帯以外の他の項目の選択は行わないものとする。
【００９６】
カタログを選択し、ページを指定した後、必要があれば、価格帯を選択する。価格帯ボタン（Ｂ１１）を押すと、価格帯入力エリアおよび価格帯のプルダウンリスト（Ｌ６）が表示される。価格帯入力エリアに価格帯を入力し（複数入力可）またはプルダウンリスト（Ｌ６）から希望の価格帯を選び（複数選択可）、価格帯を選択する。価格帯をブランクにすると、全価格帯を選択したことになる。価格帯を選択した後、検索ボタン（Ｂ４）を押すと、サーバ２１は、選択された仕入先の支店における選択されたカタログのカタログデータをハードディスクの景品関係データファイルから抽出しつつ、抽出したカタログデータの指定されたページかつ選択された価格帯における景品データを景品関係データファイルから抽出し、抽出したそれら景品データを本部端末装置１６に送信する（カタログデータ送信手段、景品データ第１送信手段）。本部端末装置１６のディスプレイ２３には、サーバ２１から送信された景品データが表示される。検索一覧表示エリア（Ａ３）のコード表示エリアには景品のコードが表示され、品名表示エリアには景品名が表示され、単価表示エリアには景品の単価が表示される（図２０参照）。
【００９７】
本部端末装置１６では、検索一覧表示エリア（Ａ３）に表示された景品データのうち、購入予定の景品データを選択する。購入予定景品データの選択は、図６のそれと同一であり、図６を援用することでその説明は省略する。サーバ２１は、本部端末装置１６によって選択された購入予定景品データを店舗端末装置１３，１４に送信する（購入予定景品データ第１送信手段）。店舗端末装置１３，１４では、それら景品の中から所定の景品の購入を希望する場合、購入希望の景品の数量表示エリアに希望数量を入力する（図７援用）。希望数量を入力した後、申込ボタンを押すと、希望数量がサーバ２１に送信される。
【００９８】
サーバ２１は、店舗端末装置１３，１４によって選択された購入希望景品データを本部端末装置１６に送信する（購入希望景品データ第１送信手段）。購入希望景品データは、本部端末装置１６のディスプレイ２３の購入予定景品表示エリア（Ａ１）に表示される（図８援用）。次に、メール送信チェックボックス（Ｂ１４）にチェックマークを入れ、印刷チェックボックス（Ｂ１５）にチェックマークを入れた後、登録ボタン（Ｂ１６）を押す。
【００９９】
登録ボタン（Ｂ１６）を押すと、サーバ２１は、本部端末装置１６から購入希望景品データの発注要請を受信し、購入予定景品表示エリア（Ａ１）に表示された景品データに基づいて発注希望景品データの景品の発注伝票を作成するとともに（発注伝票作成手段）、発注希望景品データの景品の配送店舗を指定する配送伝票を作成する（配送伝票作成手段）。サーバ１９は、作成した発注伝票および配送伝票をハードディスクの景品関係データファイルに格納するとともに、発注伝票および配送伝票をインターネット２２を介して施設端末装置１３，１４や本部端末装置１６、仕入先端末装置１９，２０に送信する（発注景品データ第１送信手段）。サーバ１９から送信された発注伝票および配送伝票は、プリンタから出力されるとともに、施設端末装置１３，１４や本部端末装置１６、仕入先端末装置１９，２０のディスプレイ２３，２４，２５に表示される（図９，１０援用）。
【０１００】
発注システム１０は、サーバ２１が景品データを景品の価格帯別に区分して記憶し、カタログ雑誌に掲載された景品の価格帯情報が電子データとしてサーバ２１に一元的に管理され、インターネット２２を介して価格帯データがサーバ２１から本部端末装置１６に送信されるから、端末装置１６を介してカタログの中から所定の価格帯の景品のみを迅速に検索することができる。この発注システム１０は、選択したカタログの中から景品の希望の価格帯を選択することが可能であり、価格帯を選択しつつその価格帯の景品の中から購入予定の景品を選ぶことができ、価格帯を手がかりとして購入予定の景品をアミューズメント本部１５において速やかに選び出すことができる。
【０１０１】
図２１，図２２は、カタログ検索のうちのコード選択の一例を説明する図である。図２１，図２２では、すでにカタログが選択され、ページとして１〜５ページが指定されている。コードの選択では、カタログ検索およびページ指定を行った後、コードを選択し、そのコードに対応する景品から購入予定の景品を選択する。なお、ページ指定を行うことなく、カタログ検索を行った後、コードを選択し、そのコードに対応する景品から購入予定の景品を選択することもできる。それら図に基づいて、コード選択の一例を説明すると、以下のとおりである。認証手続きやカタログ検索、ページ指定の手順は図２〜図５において説明したそれらと同一であるから、図２〜図５を援用し、それらの説明は省略する。コード選択では、コード以外の他の項目の選択は行わないものとする。
【０１０２】
カタログを選択し、ページを指定した後、必要があれば、コードを選択する。コードボタン（Ｂ１２）を押すと、コード入力エリアおよびコードのプルダウンリスト（Ｌ７）が表示される。コード入力エリアにコードを入力し（複数入力可）またはプルダウンリスト（Ｌ７）から希望のコードを選び（複数選択可）、コードを選択する。コードをブランクにすると、全コードを選択したことになる。コードを選択した後、検索ボタン（Ｂ４）を押すと、サーバ２１は、選択された仕入先の支店における選択されたカタログのカタログデータをハードディスクの景品関係データファイルから抽出しつつ、抽出したカタログデータの指定されたページかつ選択されたコードにおける景品データを景品関係データファイルから抽出し、抽出したそれら景品データを本部端末装置１６に送信する（カタログデータ送信手段、景品データ第１送信手段）。本部端末装置１６のディスプレイ２３には、サーバ２１から送信された景品データが表示される。検索一覧表示エリア（Ａ３）のコード表示エリアには景品のコードが表示され、品名表示エリアには景品名が表示され、単価表示エリアには景品の単価が表示される（図２２参照）。
【０１０３】
本部端末装置１６では、検索一覧表示エリア（Ａ３）に表示された景品データのうち、購入予定の景品データを選択する。購入予定景品データの選択は、図６のそれと同一であり、図６を援用することでその説明は省略する。サーバ２１は、本部端末装置１６によって選択された購入予定景品データを店舗端末装置１３，１４に送信する（購入予定景品データ第１送信手段）。店舗端末装置１３，１４では、それら景品の中から所定の景品の購入を希望する場合、購入希望の景品の数量表示エリアに希望数量を入力する（図７援用）。希望数量を入力した後、申込ボタンを押すと、希望数量がサーバ２１に送信される。
【０１０４】
サーバ２１は、店舗端末装置１３，１４によって選択された購入希望景品データを本部端末装置１６に送信する（購入希望景品データ第１送信手段）。購入希望景品データは、本部端末装置１６のディスプレイ２３の購入予定景品表示エリア（Ａ１）に表示される（図８援用）。次に、メール送信チェックボックス（Ｂ１４）にチェックマークを入れ、印刷チェックボックス（Ｂ１５）にチェックマークを入れた後、登録ボタン（Ｂ１６）を押す。
【０１０５】
登録ボタン（Ｂ１６）を押すと、サーバ２１は、本部端末装置１６から購入希望景品データの発注要請を受信し、購入予定景品表示エリア（Ａ１）に表示された景品データに基づいて発注希望景品データの景品の発注伝票を作成するとともに（発注伝票作成手段）、発注希望景品データの景品の配送店舗を指定する配送伝票を作成する（配送伝票作成手段）。サーバ１９は、作成した発注伝票および配送伝票をハードディスクの景品関係データファイルに格納するとともに、発注伝票および配送伝票をインターネット２２を介して施設端末装置１３，１４や本部端末装置１６、仕入先端末装置１９，２０に送信する（発注景品データ第１送信手段）。サーバ１９から送信された発注伝票および配送伝票は、プリンタから出力されるとともに、施設端末装置１３，１４や本部端末装置１６、仕入先端末装置１９，２０のディスプレイ２３，２４，２５に表示される（図９，１０援用）。
【０１０６】
発注システム１０は、サーバ２１が景品データを景品のコード別に区分して記憶し、カタログ雑誌に掲載された景品のコード情報が電子データとしてサーバ２１に一元的に管理され、インターネット２２を介してコードデータがサーバ２１から本部端末装置１６に送信されるから、端末装置１６を介してカタログの中から所定のコードの景品のみを迅速に検索することができる。この発注システム１０は、選択したカタログの中から景品の希望のコードを選択することが可能であり、コードを選択しつつそのコードの景品の中から購入予定の景品を選ぶことができ、コードを手がかりとして購入予定の景品をアミューズメント本部１５において速やかに選び出すことができる。
【０１０７】
図２３，図２４は、カタログ検索のうちの景品名選択の一例を説明する図である。図２３，図２４では、すでにカタログが選択され、ページとして１〜５ページが指定されている。景品名の選択では、カタログ検索およびページ指定を行った後、景品名を選択し、その景品名に対応する景品から購入予定の景品を選択する。なお、ページ指定を行うことなく、カタログ検索を行った後、景品名を選択し、その景品名に対応する景品から購入予定の景品を選択することもできる。それら図に基づいて、景品名選択の一例を説明すると、以下のとおりである。認証手続きやカタログ検索、ページ指定の手順は図２〜図５において説明したそれらと同一であるから、図２〜図５を援用し、それらの説明は省略する。景品名選択では、景品名以外の他の項目の選択は行わないものとする。
【０１０８】
カタログを選択し、ページを指定した後、必要があれば、景品名を選択する。景品名ボタン（Ｂ１３）を押すと、景品名入力エリアおよび景品名のプルダウンリスト（Ｌ８）が表示される。景品名入力エリアに景品名を入力し（複数入力可）またはプルダウンリスト（Ｌ８）から希望の景品名を選び（複数選択可）、景品名を選択する。景品名をブランクにすると、全景品名を選択したことになる。景品名を選択した後、検索ボタン（Ｂ４）を押すと、サーバ２１は、選択された仕入先の支店における選択されたカタログのカタログデータをハードディスクの景品関係データファイルから抽出しつつ、抽出したカタログデータの指定されたページかつ選択された景品名における景品データを景品関係データファイルから抽出し、抽出したそれら景品データを本部端末装置１６に送信する（カタログデータ送信手段、景品データ第１送信手段）。本部端末装置１６のディスプレイ２３には、サーバ２１から送信された景品データが表示される。検索一覧表示エリア（Ａ３）のコード表示エリアには景品のコードが表示され、品名表示エリアには景品名が表示され、単価表示エリアには景品の単価が表示される（図２４参照）。
【０１０９】
本部端末装置１６では、検索一覧表示エリア（Ａ３）に表示された景品データのうち、購入予定の景品データを選択する。購入予定景品データの選択は、図６のそれと同一であり、図６を援用することでその説明は省略する。サーバ２１は、本部端末装置１６によって選択された購入予定景品データを店舗端末装置１３，１４に送信する（購入予定景品データ第１送信手段）。店舗端末装置１３，１４では、それら景品の中から所定の景品の購入を希望する場合、購入希望の景品の数量表示エリアに希望数量を入力する（図７援用）。希望数量を入力した後、申込ボタンを押すと、希望数量がサーバ２１に送信される。
【０１１０】
サーバ２１は、店舗端末装置１３，１４によって選択された購入希望景品データを本部端末装置１６に送信する（購入希望景品データ第１送信手段）。購入希望景品データは、本部端末装置１６のディスプレイ２３の購入予定景品表示エリア（Ａ１）に表示される（図８援用）。次に、メール送信チェックボックス（Ｂ１４）にチェックマークを入れ、印刷チェックボックス（Ｂ１５）にチェックマークを入れた後、登録ボタン（Ｂ１６）を押す。
【０１１１】
登録ボタン（Ｂ１６）を押すと、サーバ２１は、本部端末装置１６から購入希望景品データの発注要請を受信し、購入予定景品表示エリア（Ａ１）に表示された景品データに基づいて発注希望景品データの景品の発注伝票を作成するとともに（発注伝票作成手段）、発注希望景品データの景品の配送店舗を指定する配送伝票を作成する（配送伝票作成手段）。サーバ１９は、作成した発注伝票および配送伝票をハードディスクの景品関係データファイルに格納するとともに、発注伝票および配送伝票をインターネット２２を介して施設端末装置１３，１４や本部端末装置１６、仕入先端末装置１９，２０に送信する（発注景品データ第１送信手段）。サーバ１９から送信された発注伝票および配送伝票は、プリンタから出力されるとともに、施設端末装置１３，１４や本部端末装置１６、仕入先端末装置１９，２０のディスプレイ２３，２４，２５に表示される（図９，１０援用）。
【０１１２】
発注システム１０は、サーバ２１が景品データを景品の景品名別に区分して記憶し、カタログ雑誌に掲載された景品の景品名情報が電子データとしてサーバ２１に一元的に管理され、インターネット２２を介して景品名データがサーバ２１から本部端末装置１６に送信されるから、端末装置１６を介してカタログの中から所定の景品名の景品のみを迅速に検索することができる。この発注システム１０は、選択したカタログの中から景品の希望の景品名を選択することが可能であり、景品名を選択しつつその景品名の景品の中から購入予定の景品を選ぶことができ、景品名を手がかりとして購入予定の景品をアミューズメント本部１５において速やかに選び出すことができる。
【０１１３】
図２〜図２４に示すカタログ検索では、検索条件入力エリア（Ａ２）に表示される各種条件のうち、カタログ選択は必須であるが、他の条件は任意に選択することができる。また、任意の条件は複数選択が可能である。たとえば、ページ、景品種別、メーカー、キャラクター、サイズ、価格帯、コード、景品名の少なくとも一つを選択することができる。それらの２つ以上を選択すると、それら条件をすべて満たした景品データが表示される。
【０１１４】
図２５，図２６は、景品検索のうちの景品種別選択の一例を説明する図である。それら図に基づいて、景品種別選択の一例を説明すると、以下のとおりである。なお、認証手続きは、図２において説明したそれと同一である。一括購入入力画面において、仕入先のプルダウンリストから仕入先を選択し（全仕入先選択可）、仕入先支店のプルダウンリストから仕入先支店を選択する（全支店選択可）。さらに、申込開始日入力エリアに申込開始日を入力する。仕入先と仕入先支店とを選択すると、サーバ２１は、選択された仕入先の選択された支店における景品関係データファイルをハードディスクから取り出す。景品を検索するには、景品検索ボタン（Ｂ２）を押す。景品検索ボタン（Ｂ２）を押すと、図２５に示すように、検索条件入力エリア（Ａ２）に各種の条件選択ボタンが表示される。条件選択ボタンには、景品種別選択ボタン（Ｂ１７）、メーカー選択ボタン（Ｂ１８）、キャラクター選択ボタン（Ｂ１９）、サイズ選択ボタン（Ｂ２０）、価格帯選択ボタン（Ｂ２１）、コード選択ボタン（Ｂ２２）、景品名選択ボタン（Ｂ２３）がある。
【０１１５】
景品種別から景品を選ぶ場合は、景品種別から希望のそれを選択する。景品種別ボタン（Ｂ１７）を押すと、景品種別のプルダウンリスト（Ｌ９）が表示される。プルダウンリスト（Ｌ９）から希望の景品種別を選び（複数選択可）、景品種別を選択する。景品種別をブランクにすると、全景品種別を選択したことになる。景品種別を選択した後、検索ボタン（Ｂ４）を押すと、サーバ２１は、選択された仕入先の支店の選択された景品種別における景品データをハードディスクの景品関係データファイルから抽出し、抽出したそれら景品データを本部端末装置１６に送信する（カタログデータ送信手段、景品データ第２送信手段）。本部端末装置１６のディスプレイ２３には、サーバ２１から送信された景品データが表示される。検索一覧表示エリア（Ａ３）のコード表示エリアには景品のコードが表示され、品名表示エリアには景品名が表示され、単価表示エリアには景品の単価が表示される（図２６参照）。
【０１１６】
本部端末装置１６では、検索一覧表示エリア（Ａ３）に表示された景品データのうち、購入予定の景品データを選択する。購入予定景品データの選択は、図６のそれと同一であり、図６を援用することでその説明は省略する。サーバ２１は、本部端末装置１６によって選択された購入予定景品データを店舗端末装置１３，１４に送信する（購入予定景品データ第２送信手段）。店舗端末装置１３，１４では、それら景品の中から所定の景品の購入を希望する場合、購入希望の景品の数量表示エリアに希望数量を入力する（図７援用）。希望数量を入力した後、申込ボタンを押すと、希望数量がサーバ２１に送信される。
【０１１７】
サーバ２１は、店舗端末装置１３，１４によって選択された購入希望景品データを本部端末装置１６に送信する（購入希望景品データ第２送信手段）。購入希望景品データは、本部端末装置１６のディスプレイ２３の購入予定景品表示エリア（Ａ１）に表示される（図８援用）。次に、メール送信チェックボックス（Ｂ１４）にチェックマークを入れ、印刷チェックボックス（Ｂ１５）にチェックマークを入れた後、登録ボタン（Ｂ１６）を押す。
【０１１８】
登録ボタン（Ｂ１６）を押すと、サーバ２１は、本部端末装置１６から購入希望景品データの発注要請を受信し、購入予定景品表示エリア（Ａ１）に表示された景品データに基づいて発注希望景品データの景品の発注伝票を作成するとともに（発注伝票作成手段）、発注希望景品データの景品の配送店舗を指定する配送伝票を作成する（配送伝票作成手段）。サーバ１９は、作成した発注伝票および配送伝票をハードディスクの景品関係データファイルに格納するとともに、発注伝票および配送伝票をインターネット２２を介して施設端末装置１３，１４や本部端末装置１６、仕入先端末装置１９，２０に送信する（発注景品データ第２送信手段）。サーバ１９から送信された発注伝票および配送伝票は、プリンタから出力されるとともに、施設端末装置１３，１４や本部端末装置１６、仕入先端末装置１９，２０のディスプレイ２３，２４，２５に表示される（図９，１０援用）。
【０１１９】
発注システム１０は、サーバ２１が景品データを景品の景品種別に区分して記憶し、景品の景品種別情報が電子データとしてサーバ２１に一元的に管理され、インターネット２２を介して景品種別データがサーバ２１から本部端末装置１６に送信されるから、端末装置１６を介して必要な景品種別の景品のみを迅速に検索することができる。この発注システム１０は、希望の景品種別を選択することが可能であり、景品種別を選択しつつその景品種別に属する景品の中から購入予定の景品を選ぶことができ、景品種別を手がかりとして購入予定の景品をアミューズメント本部１５において速やかに選び出すことができる。発注システム１０は、仕入先に発注すべき景品データをアミューズメント本部１５で一括して管理することができるから、各アミューズメント店舗１３，１４が独自に景品を発注することによるデータの散在を防ぐことができ、発注した景品データをアミューズメント本部１５が一元的に管理することができる。
【０１２０】
図２７，図２８は、景品検索のうちのメーカー選択の一例を説明する図である。それら図に基づいて、メーカー選択の一例を説明すると、以下のとおりである。なお、認証手続きは、図２において説明したそれらと同一である。また、メーカー選択前までの景品検索の手順は図２５において説明したそれと同一である。メーカー選択では、メーカー以外の他の項目の選択は行わないものとする。
【０１２１】
メーカーから景品を選ぶ場合は、メーカーから希望のそれを選択する。メーカーボタン（Ｂ１８）を押すと、メーカー入力エリアおよびメーカーのプルダウンリスト（Ｌ１０）が表示される。メーカー入力エリアにメーカーを入力し（複数入力可）またはプルダウンリスト（Ｌ１０）から希望のメーカーを選び（複数選択可）、メーカーを選択する。メーカーをブランクにすると、全メーカーを選択したことになる。メーカーを選択した後、検索ボタン（Ｂ４）を押すと、サーバ２１は、選択された仕入先の支店の選択されたメーカーにおける景品データをハードディスクの景品関係データファイルから抽出し、抽出したそれら景品データを本部端末装置１６に送信する（カタログデータ送信手段、景品データ第２送信手段）。本部端末装置１６のディスプレイ２３には、サーバ２１から送信された景品データが表示される。検索一覧表示エリア（Ａ３）のコード表示エリアには景品のコードが表示され、品名表示エリアには景品名が表示され、単価表示エリアには景品の単価が表示される（図２８参照）。
【０１２２】
本部端末装置１６では、検索一覧表示エリア（Ａ３）に表示された景品データのうち、購入予定の景品データを選択する。購入予定景品データの選択は、図６のそれと同一であり、図６を援用することでその説明は省略する。サーバ２１は、本部端末装置１６によって選択された購入予定景品データを店舗端末装置１３，１４に送信する（購入予定景品データ第２送信手段）。店舗端末装置１３，１４では、それら景品の中から所定の景品の購入を希望する場合、購入希望の景品の数量表示エリアに希望数量を入力する（図７援用）。希望数量を入力した後、申込ボタンを押すと、希望数量がサーバ２１に送信される。
【０１２３】
サーバ２１は、店舗端末装置１３，１４によって選択された購入希望景品データを本部端末装置１６に送信する（購入希望景品データ第２送信手段）。購入希望景品データは、本部端末装置１６のディスプレイ２３の購入予定景品表示エリア（Ａ１）に表示される（図８援用）。次に、メール送信チェックボックス（Ｂ１４）にチェックマークを入れ、印刷チェックボックス（Ｂ１５）にチェックマークを入れた後、登録ボタン（Ｂ１６）を押す。
【０１２４】
登録ボタン（Ｂ１６）を押すと、サーバ２１は、本部端末装置１６から購入希望景品データの発注要請を受信し、購入予定景品表示エリア（Ａ１）に表示された景品データに基づいて発注希望景品データの景品の発注伝票を作成するとともに（発注伝票作成手段）、発注希望景品データの景品の配送店舗を指定する配送伝票を作成する（配送伝票作成手段）。サーバ１９は、作成した発注伝票および配送伝票をハードディスクの景品関係データファイルに格納するとともに、発注伝票および配送伝票をインターネット２２を介して施設端末装置１３，１４や本部端末装置１６、仕入先端末装置１９，２０に送信する（発注景品データ第２送信手段）。サーバ１９から送信された発注伝票および配送伝票は、プリンタから出力されるとともに、施設端末装置１３，１４や本部端末装置１６、仕入先端末装置１９，２０のディスプレイ２３，２４，２５に表示される（図９，１０援用）。
【０１２５】
発注システム１０は、サーバ２１が景品データを景品の製造メーカー別に区分して記憶し、景品のメーカー情報が電子データとしてサーバ２１に一元的に管理され、インターネット２２を介してメーカーデータがサーバ２１から本部端末装置１６に送信されるから、端末装置１６を介して必要なメーカーの景品のみを迅速に検索することができる。この発注システム１０は、希望のメーカーを選択することが可能であり、メーカーを選択しつつそのメーカーに属する景品の中から購入予定の景品を選ぶことができ、メーカーを手がかりとして購入予定の景品をアミューズメント本部１５において速やかに選び出すことができる。
【０１２６】
図２９，図３０は、景品検索のうちのキャラクター選択の一例を説明する図である。それら図に基づいて、キャラクター選択の一例を説明すると、以下のとおりである。なお、認証手続きは、図２において説明したそれらと同一である。また、キャラクター選択前までの景品検索の手順は図２５において説明したそれと同一である。キャラクター選択では、キャラクター以外の他の項目の選択は行わないものとする。
【０１２７】
キャラクターから景品を選ぶ場合は、キャラクターから希望のそれを選択する。キャラクターボタン（Ｂ１９）を押すと、キャラクター入力エリアおよびキャラクターのプルダウンリスト（Ｌ１１）が表示される。キャラクター入力エリアにキャラクターを入力し（複数入力可）またはプルダウンリスト（Ｌ１１）から希望のキャラクターを選び（複数選択可）、キャラクターを選択する。キャラクターをブランクにすると、全キャラクターを選択したことになる。キャラクターを選択した後、検索ボタン（Ｂ４）を押すと、サーバ２１は、選択された仕入先の支店の選択されたキャラクターにおける景品データをハードディスクの景品関係データファイルから抽出し、抽出したそれら景品データを本部端末装置１６に送信する（カタログデータ送信手段、景品データ第２送信手段）。本部端末装置１６のディスプレイ２３には、サーバ２１から送信された景品データが表示される。検索一覧表示エリア（Ａ３）のコード表示エリアには景品のコードが表示され、品名表示エリアには景品名が表示され、単価表示エリアには景品の単価が表示される（図３０参照）。
【０１２８】
本部端末装置１６では、検索一覧表示エリア（Ａ３）に表示された景品データのうち、購入予定の景品データを選択する。購入予定景品データの選択は、図６のそれと同一であり、図６を援用することでその説明は省略する。サーバ２１は、本部端末装置１６によって選択された購入予定景品データを店舗端末装置１３，１４に送信する（購入予定景品データ第２送信手段）。店舗端末装置１３，１４では、それら景品の中から所定の景品の購入を希望する場合、購入希望の景品の数量表示エリアに希望数量を入力する（図７援用）。希望数量を入力した後、申込ボタンを押すと、希望数量がサーバ２１に送信される。
【０１２９】
サーバ２１は、店舗端末装置１３，１４によって選択された購入希望景品データを本部端末装置１６に送信する（購入希望景品データ第２送信手段）。購入希望景品データは、本部端末装置１６のディスプレイ２３の購入予定景品表示エリア（Ａ１）に表示される（図８援用）。次に、メール送信チェックボックス（Ｂ１４）にチェックマークを入れ、印刷チェックボックス（Ｂ１５）にチェックマークを入れた後、登録ボタン（Ｂ１６）を押す。
【０１３０】
登録ボタン（Ｂ１６）を押すと、サーバ２１は、本部端末装置１６から購入希望景品データの発注要請を受信し、購入予定景品表示エリア（Ａ１）に表示された景品データに基づいて発注希望景品データの景品の発注伝票を作成するとともに（発注伝票作成手段）、発注希望景品データの景品の配送店舗を指定する配送伝票を作成する（配送伝票作成手段）。サーバ１９は、作成した発注伝票および配送伝票をハードディスクの景品関係データファイルに格納するとともに、発注伝票および配送伝票をインターネット２２を介して施設端末装置１３，１４や本部端末装置１６、仕入先端末装置１９，２０に送信する（発注景品データ第２送信手段）。サーバ１９から送信された発注伝票および配送伝票は、プリンタから出力されるとともに、施設端末装置１３，１４や本部端末装置１６、仕入先端末装置１９，２０のディスプレイ２３，２４，２５に表示される（図９，１０援用）。
【０１３１】
発注システム１０は、サーバ２１が景品データを景品のキャラクター別に区分して記憶し、景品のキャラクター情報が電子データとしてサーバ２１に一元的に管理され、インターネット２２を介してキャラクターデータがサーバ２１から本部端末装置１６に送信されるから、端末装置１６を介して必要なキャラクターの景品のみを迅速に検索することができる。この発注システム１０は、希望のキャラクターを選択することが可能であり、キャラクターを選択しつつそのキャラクターに属する景品の中から購入予定の景品を選ぶことができ、キャラクターを手がかりとして購入予定の景品をアミューズメント本部１５において速やかに選び出すことができる。
【０１３２】
図３１，図３２は、景品検索のうちのサイズ選択の一例を説明する図である。それら図に基づいて、サイズ選択の一例を説明すると、以下のとおりである。なお、認証手続きは、図２において説明したそれらと同一である。また、サイズ選択前までの景品検索の手順は図２５において説明したそれと同一である。サイズ選択では、サイズ以外の他の項目の選択は行わないものとする。
【０１３３】
サイズから景品を選ぶ場合は、サイズから希望のそれを選択する。サイズボタン（Ｂ２０）を押すと、サイズのプルダウンリスト（Ｌ１２）が表示される。プルダウンリスト（Ｌ１２）から希望のサイズを選び（複数選択可）、サイズを選択する。サイズをブランクにすると、全サイズを選択したことになる。サイズを選択した後、検索ボタン（Ｂ４）を押すと、サーバ２１は、選択された仕入先の支店の選択されたサイズにおける景品データをハードディスクの景品関係データファイルから抽出し、抽出したそれら景品データを本部端末装置１６に送信する（カタログデータ送信手段、景品データ第２送信手段）。本部端末装置１６のディスプレイ２３には、サーバ２１から送信された景品データが表示される。検索一覧表示エリア（Ａ３）のコード表示エリアには景品のコードが表示され、品名表示エリアには景品名が表示され、単価表示エリアには景品の単価が表示される（図３２参照）。
【０１３４】
本部端末装置１６では、検索一覧表示エリア（Ａ３）に表示された景品データのうち、購入予定の景品データを選択する。購入予定景品データの選択は、図６のそれと同一であり、図６を援用することでその説明は省略する。サーバ２１は、本部端末装置１６によって選択された購入予定景品データを店舗端末装置１３，１４に送信する（購入予定景品データ第２送信手段）。店舗端末装置１３，１４では、それら景品の中から所定の景品の購入を希望する場合、購入希望の景品の数量表示エリアに希望数量を入力する（図７援用）。希望数量を入力した後、申込ボタンを押すと、希望数量がサーバ２１に送信される。
【０１３５】
サーバ２１は、店舗端末装置１３，１４によって選択された購入希望景品データを本部端末装置１６に送信する（購入希望景品データ第２送信手段）。購入希望景品データは、本部端末装置１６のディスプレイ２３の購入予定景品表示エリア（Ａ１）に表示される（図８援用）。次に、メール送信チェックボックス（Ｂ１４）にチェックマークを入れ、印刷チェックボックス（Ｂ１５）にチェックマークを入れた後、登録ボタン（Ｂ１６）を押す。
【０１３６】
登録ボタン（Ｂ１６）を押すと、サーバ２１は、本部端末装置１６から購入希望景品データの発注要請を受信し、購入予定景品表示エリア（Ａ１）に表示された景品データに基づいて発注希望景品データの景品の発注伝票を作成するとともに（発注伝票作成手段）、発注希望景品データの景品の配送店舗を指定する配送伝票を作成する（配送伝票作成手段）。サーバ１９は、作成した発注伝票および配送伝票をハードディスクの景品関係データファイルに格納するとともに、発注伝票および配送伝票をインターネット２２を介して施設端末装置１３，１４や本部端末装置１６、仕入先端末装置１９，２０に送信する（発注景品データ第２送信手段）。サーバ１９から送信された発注伝票および配送伝票は、プリンタから出力されるとともに、施設端末装置１３，１４や本部端末装置１６、仕入先端末装置１９，２０のディスプレイ２３，２４，２５に表示される（図９，１０援用）。
【０１３７】
発注システム１０は、サーバ２１が景品データを景品のサイズ別に区分して記憶し、景品のサイズ情報が電子データとしてサーバ２１に一元的に管理され、インターネット２２を介してサイズデータがサーバ２１から本部端末装置１６に送信されるから、端末装置１６を介して必要なサイズの景品のみを迅速に検索することができる。この発注システム１０は、希望のサイズを選択することが可能であり、サイズを選択しつつそのサイズの景品の中から購入予定の景品を選ぶことができ、サイズを手がかりとして購入予定の景品をアミューズメント本部１５において速やかに選び出すことができる。
【０１３８】
図３３，図３４は、景品検索のうちの価格帯選択の一例を説明する図である。それら図に基づいて、価格帯選択の一例を説明すると、以下のとおりである。なお、認証手続きは、図２において説明したそれらと同一である。また、価格帯選択前までの景品検索の手順は図２５において説明したそれと同一である。価格帯選択では、価格帯以外の他の項目の選択は行わないものとする。
【０１３９】
価格帯から景品を選ぶ場合は、価格帯から希望のそれを選択する。価格帯ボタン（Ｂ２１）を押すと、価格帯入力エリアおよび価格帯のプルダウンリスト（Ｌ１３）が表示される。価格帯入力エリアに価格帯を入力し（複数入力可）またはプルダウンリスト（Ｌ１３）から希望の価格帯を選び（複数選択可）、価格帯を選択する。価格帯をブランクにすると、全価格帯を選択したことになる。価格帯を選択した後、検索ボタン（Ｂ４）を押すと、サーバ２１は、選択された仕入先の支店の選択された価格帯における景品データをハードディスクの景品関係データファイルから抽出し、抽出したそれら景品データを本部端末装置１６に送信する（カタログデータ送信手段、景品データ第２送信手段）。本部端末装置１６のディスプレイ２３には、サーバ２１から送信された景品データが表示される。検索一覧表示エリア（Ａ３）のコード表示エリアには景品のコードが表示され、品名表示エリアには景品名が表示され、単価表示エリアには景品の単価が表示される（図３４参照）。
【０１４０】
本部端末装置１６では、検索一覧表示エリア（Ａ３）に表示された景品データのうち、購入予定の景品データを選択する。購入予定景品データの選択は、図６のそれと同一であり、図６を援用することでその説明は省略する。サーバ２１は、本部端末装置１６によって選択された購入予定景品データを店舗端末装置１３，１４に送信する（購入予定景品データ第２送信手段）。店舗端末装置１３，１４では、それら景品の中から所定の景品の購入を希望する場合、購入希望の景品の数量表示エリアに希望数量を入力する（図７援用）。希望数量を入力した後、申込ボタンを押すと、希望数量がサーバ２１に送信される。
【０１４１】
サーバ２１は、店舗端末装置１３，１４によって選択された購入希望景品データを本部端末装置１６に送信する（購入希望景品データ第２送信手段）。購入希望景品データは、本部端末装置１６のディスプレイ２３の購入予定景品表示エリア（Ａ１）に表示される（図８援用）。次に、メール送信チェックボックス（Ｂ１４）にチェックマークを入れ、印刷チェックボックス（Ｂ１５）にチェックマークを入れた後、登録ボタン（Ｂ１６）を押す。
【０１４２】
登録ボタン（Ｂ１６）を押すと、サーバ２１は、本部端末装置１６から購入希望景品データの発注要請を受信し、購入予定景品表示エリア（Ａ１）に表示された景品データに基づいて発注希望景品データの景品の発注伝票を作成するとともに（発注伝票作成手段）、発注希望景品データの景品の配送店舗を指定する配送伝票を作成する（配送伝票作成手段）。サーバ１９は、作成した発注伝票および配送伝票をハードディスクの景品関係データファイルに格納するとともに、発注伝票および配送伝票をインターネット２２を介して施設端末装置１３，１４や本部端末装置１６、仕入先端末装置１９，２０に送信する（発注景品データ第２送信手段）。サーバ１９から送信された発注伝票および配送伝票は、プリンタから出力されるとともに、施設端末装置１３，１４や本部端末装置１６、仕入先端末装置１９，２０のディスプレイ２３，２４，２５に表示される（図９，１０援用）。
【０１４３】
発注システム１０は、サーバ２１が景品データを景品の価格帯別に区分して記憶し、景品の価格帯情報が電子データとしてサーバ２１に一元的に管理され、インターネット２２を介して価格帯データがサーバ２１から本部端末装置１６に送信されるから、端末装置１６を介して必要な価格帯の景品のみを迅速に検索することができる。この発注システム１０は、希望の価格帯を選択することが可能であり、価格帯を選択しつつその価格帯の景品の中から購入予定の景品を選ぶことができ、価格帯を手がかりとして購入予定の景品をアミューズメント本部１５において速やかに選び出すことができる。
【０１４４】
図３５，図３６は、景品検索のうちのコード選択の一例を説明する図である。それら図に基づいて、コード選択の一例を説明すると、以下のとおりである。なお、認証手続きは、図２において説明したそれらと同一である。また、コード選択前までの景品検索の手順は図２５において説明したそれと同一である。コード選択では、コード以外の他の項目の選択は行わないものとする。
【０１４５】
コードから景品を選ぶ場合は、コードから希望のそれを選択する。コードボタン（Ｂ２２）を押すと、コード入力エリアおよびコードのプルダウンリスト（Ｌ１４）が表示される。コード入力エリアにコードを入力し（複数入力可）またはプルダウンリスト（Ｌ１４）から希望のコードを選び（複数選択可）、コードを選択する。コードをブランクにすると、全コードを選択したことになる。コードを選択した後、検索ボタン（Ｂ４）を押すと、サーバ２１は、選択された仕入先の支店の選択されたコードにおける景品データをハードディスクの景品関係データファイルから抽出し、抽出したそれら景品データを本部端末装置１６に送信する（カタログデータ送信手段、景品データ第２送信手段）。本部端末装置１６のディスプレイ２３には、サーバ２１から送信された景品データが表示される。検索一覧表示エリア（Ａ３）のコード表示エリアには景品のコードが表示され、品名表示エリアには景品名が表示され、単価表示エリアには景品の単価が表示される（図３６参照）。
【０１４６】
本部端末装置１６では、検索一覧表示エリア（Ａ３）に表示された景品データのうち、購入予定の景品データを選択する。購入予定景品データの選択は、図６のそれと同一であり、図６を援用することでその説明は省略する。サーバ２１は、本部端末装置１６によって選択された購入予定景品データを店舗端末装置１３，１４に送信する（購入予定景品データ第２送信手段）。店舗端末装置１３，１４では、それら景品の中から所定の景品の購入を希望する場合、購入希望の景品の数量表示エリアに希望数量を入力する（図７援用）。希望数量を入力した後、申込ボタンを押すと、希望数量がサーバ２１に送信される。
【０１４７】
サーバ２１は、店舗端末装置１３，１４によって選択された購入希望景品データを本部端末装置１６に送信する（購入希望景品データ第２送信手段）。購入希望景品データは、本部端末装置１６のディスプレイ２３の購入予定景品表示エリア（Ａ１）に表示される（図８援用）。次に、メール送信チェックボックス（Ｂ１４）にチェックマークを入れ、印刷チェックボックス（Ｂ１５）にチェックマークを入れた後、登録ボタン（Ｂ１６）を押す。
【０１４８】
登録ボタン（Ｂ１６）を押すと、サーバ２１は、本部端末装置１６から購入希望景品データの発注要請を受信し、購入予定景品表示エリア（Ａ１）に表示された景品データに基づいて発注希望景品データの景品の発注伝票を作成するとともに（発注伝票作成手段）、発注希望景品データの景品の配送店舗を指定する配送伝票を作成する（配送伝票作成手段）。サーバ１９は、作成した発注伝票および配送伝票をハードディスクの景品関係データファイルに格納するとともに、発注伝票および配送伝票をインターネット２２を介して施設端末装置１３，１４や本部端末装置１６、仕入先端末装置１９，２０に送信する（発注景品データ第２送信手段）。サーバ１９から送信された発注伝票および配送伝票は、プリンタから出力されるとともに、施設端末装置１３，１４や本部端末装置１６、仕入先端末装置１９，２０のディスプレイ２３，２４，２５に表示される（図９，１０援用）。
【０１４９】
発注システム１０は、サーバ２１が景品データを景品のコード別に区分して記憶し、景品のコード情報が電子データとしてサーバ２１に一元的に管理され、インターネット２２を介してコードデータがサーバ２１から本部端末装置１６に送信されるから、端末装置１６を介して必要なコードの景品のみを迅速に検索することができる。この発注システム１０は、希望のコードを選択することが可能であり、コードを選択しつつそのコードの景品の中から購入予定の景品を選ぶことができ、コードを手がかりとして購入予定の景品をアミューズメント本部１５において速やかに選び出すことができる。
【０１５０】
図３７，図３８は、景品検索のうちの景品名選択の一例を説明する図である。それら図に基づいて、景品名選択の一例を説明すると、以下のとおりである。なお、認証手続きは、図２において説明したそれらと同一である。また、景品名選択前までの景品検索の手順は図２５において説明したそれと同一である。景品名選択では、景品名以外の他の項目の選択は行わないものとする。
【０１５１】
景品名から景品を選ぶ場合は、景品名から希望のそれを選択する。景品名ボタン（Ｂ２３）を押すと、景品名入力エリアおよび景品名のプルダウンリスト（Ｌ１５）が表示される。景品名入力エリアに景品名を入力し（複数入力可）またはプルダウンリスト（Ｌ１５）から希望の景品名を選び（複数選択可）、景品名を選択する。景品名をブランクにすると、全景品名を選択したことになる。景品名を選択した後、検索ボタン（Ｂ４）を押すと、サーバ２１は、選択された仕入先の支店の選択された景品名における景品データをハードディスクの景品関係データファイルから抽出し、抽出したそれら景品データを本部端末装置１６に送信する（カタログデータ送信手段、景品データ第２送信手段）。本部端末装置１６のディスプレイ２３には、サーバ２１から送信された景品データが表示される。検索一覧表示エリア（Ａ３）のコード表示エリアには景品のコードが表示され、品名表示エリアには景品名が表示され、単価表示エリアには景品の単価が表示される（図３８参照）。
【０１５２】
本部端末装置１６では、検索一覧表示エリア（Ａ３）に表示された景品データのうち、購入予定の景品データを選択する。購入予定景品データの選択は、図６のそれと同一であり、図６を援用することでその説明は省略する。サーバ２１は、本部端末装置１６によって選択された購入予定景品データを店舗端末装置１３，１４に送信する（購入予定景品データ第２送信手段）。店舗端末装置１３，１４では、それら景品の中から所定の景品の購入を希望する場合、購入希望の景品の数量表示エリアに希望数量を入力する（図７援用）。希望数量を入力した後、申込ボタンを押すと、希望数量がサーバ２１に送信される。
【０１５３】
サーバ２１は、店舗端末装置１３，１４によって選択された購入希望景品データを本部端末装置１６に送信する（購入希望景品データ第２送信手段）。購入希望景品データは、本部端末装置１６のディスプレイ２３の購入予定景品表示エリア（Ａ１）に表示される（図８援用）。次に、メール送信チェックボックス（Ｂ１４）にチェックマークを入れ、印刷チェックボックス（Ｂ１５）にチェックマークを入れた後、登録ボタン（Ｂ１６）を押す。
【０１５４】
登録ボタン（Ｂ１６）を押すと、サーバ２１は、本部端末装置１６から購入希望景品データの発注要請を受信し、購入予定景品表示エリア（Ａ１）に表示された景品データに基づいて発注希望景品データの景品の発注伝票を作成するとともに（発注伝票作成手段）、発注希望景品データの景品の配送店舗を指定する配送伝票を作成する（配送伝票作成手段）。サーバ１９は、作成した発注伝票および配送伝票をハードディスクの景品関係データファイルに格納するとともに、発注伝票および配送伝票をインターネット２２を介して施設端末装置１３，１４や本部端末装置１６、仕入先端末装置１９，２０に送信する（発注景品データ第２送信手段）。サーバ１９から送信された発注伝票および配送伝票は、プリンタから出力されるとともに、施設端末装置１３，１４や本部端末装置１６、仕入先端末装置１９，２０のディスプレイ２３，２４，２５に表示される（図９，１０援用）。
【０１５５】
発注システム１０は、サーバ２１が景品データを景品の景品名別に区分して記憶し、景品の景品名情報が電子データとしてサーバ２１に一元的に管理され、インターネット２２を介して景品名データがサーバ２１から本部端末装置１６に送信されるから、端末装置１６を介して必要な景品名の景品のみを迅速に検索することができる。この発注システム１０は、希望の景品名を選択することが可能であり、景品名を選択しつつその景品名の景品の中から購入予定の景品を選ぶことができ、景品名を手がかりとして購入予定の景品をアミューズメント本部１５において速やかに選び出すことができる。
【０１５６】
図２５〜図３８に示す景品検索では、検索条件入力エリア（Ａ２）に表示される各種条件を任意に選択することができる。また、任意の条件は複数選択が可能である。たとえば、景品種別、メーカー、キャラクター、サイズ、価格帯、コード、景品名の少なくとも一つを選択することができる。それらの２つ以上を選択すると、それら条件をすべて満たした景品データが表示される。
【０１５７】
図３９は、最近発注検索の一例を説明する図である。一括購入入力画面において、仕入先のプルダウンリストから仕入先を選択し（全仕入先選択可）、仕入先支店のプルダウンリストから仕入先支店を選択する（全支店選択可）。最近発注を検索するには、最近発注ボタン（Ｂ３）を押す。最近発注ボタン（Ｂ３）を押すと、図３９に示すように、検索期間入力エリア（Ａ）と検索件数入力エリア（Ａ）とが表示される。検索期間入力エリア（Ａ）に検索期間を入力しまたは検索件数入力エリア（Ａ）に検索件数を入力する。
【０１５８】
それらを入力した後、検索ボタン（Ｂ４）を押すと、サーバ２１は、選択された仕入先の支店における選択された検索期間または検索件数における景品データをデータファイルから抽出し、抽出したそれら景品データを本部端末装置１６に送信する。本部端末装置１６のディスプレイ２３には、サーバ２１から送信された景品データが表示される。検索一覧表示エリア（Ａ３）のコード表示エリアには景品のコードが表示され、品名表示エリアには景品名が表示され、単価表示エリアには景品の単価が表示される。
【０１５９】
最近発注検索をした後、本部端末装置１６において、ディスプレイ２３の検索一覧表示エリア（Ａ３）に表示された景品データのうち、購入予定の景品データを選択する。ディスプレイ２３の検索一覧表示エリア（Ａ３）において購入予定の景品データを反転させると、そのデータが購入予定景品表示エリア（Ａ１）に表示される（図６参照）。本部端末装置１６では、一括購入入力画面において、購入予定景品データを選択し、込開始日入力エリアに申込開始日を入力した後、登録ボタン（Ｂ１６）を押す。登録ボタン（Ｂ１６）を押すと、サーバ２１は、本部端末装置１６によって選択された購入予定景品データを店舗端末装置１３，１４に送信する（購入予定景品データ第１送信手段）。店舗端末装置１３，１４では、それら景品の中から所定の景品の購入を希望する場合、購入希望の景品の数量表示エリアに希望数量を入力する（図７援用）。希望数量を入力した後、申込ボタンを押すと、希望数量がサーバ２１に送信される。
【０１６０】
サーバ２１は、店舗端末装置１３，１４によって選択された購入希望景品データを本部端末装置１６に送信する（購入希望景品データ第１送信手段）。購入希望景品データは、本部端末装置１６のディスプレイ２３の購入予定景品表示エリア（Ａ１）に表示される（図８援用）。次に、メール送信チェックボックス（Ｂ１４）にチェックマークを入れ、印刷チェックボックス（Ｂ１５）にチェックマークを入れた後、登録ボタン（Ｂ１６）を押す。
【０１６１】
登録ボタン（Ｂ１６）を押すと、サーバ２１は、本部端末装置１６から購入希望景品データの発注要請を受信し、購入予定景品表示エリア（Ａ１）に表示された景品データに基づいて発注希望景品データの景品の発注伝票を作成するとともに（発注伝票作成手段）、発注希望景品データの景品の配送店舗を指定する配送伝票を作成する（配送伝票作成手段）。サーバ１９は、作成した発注伝票および配送伝票をハードディスクの景品関係データファイルに格納するとともに、発注伝票および配送伝票をインターネット２２を介して施設端末装置１３，１４や本部端末装置１６、仕入先端末装置１９，２０に送信する（発注景品データ第１送信手段）。サーバ１９から送信された発注伝票および配送伝票は、プリンタから出力されるとともに、施設端末装置１３，１４や本部端末装置１６、仕入先端末装置１９，２０のディスプレイ２３，２４，２５に表示される（図９，１０援用）。
【図面の簡単な説明】
【０１６２】
【図１】一例として示す発注システムの構成図。
【図２】カタログ検索の一例を説明する図。
【図３】カタログ検索の一例を説明する図。
【図４】カタログ検索の一例を説明する図。
【図５】カタログ検索の一例を説明する図。
【図６】仕入先への一括発注を説明する図。
【図７】仕入先への一括発注を説明する図。
【図８】仕入先への一括発注を説明する図。
【図９】発注伝票の一例を示す図。
【図１０】配送伝票の一例を示す図。
【図１１】カタログ検索のうちの景品種別選択の一例を説明する図。
【図１２】カタログ検索のうちの景品種別選択の一例を説明する図。
【図１３】カタログ検索のうちのメーカー選択の一例を説明する図。
【図１４】カタログ検索のうちのメーカー選択の一例を説明する図。
【図１５】カタログ検索のうちのキャラクター選択の一例を説明する図。
【図１６】カタログ検索のうちのキャラクター選択の一例を説明する図。
【図１７】カタログ検索のうちのサイズ選択の一例を説明する図。
【図１８】カタログ検索のうちのサイズ選択の一例を説明する図。
【図１９】カタログ検索のうちの価格帯選択の一例を説明する図。
【図２０】カタログ検索のうちの価格帯選択の一例を説明する図。
【図２１】カタログ検索のうちのコード選択の一例を説明する図。
【図２２】カタログ検索のうちのコード選択の一例を説明する図。
【図２３】カタログ検索のうちの景品名選択の一例を説明する図。
【図２４】カタログ検索のうちの景品名選択の一例を説明する図。
【図２５】景品検索のうちの景品種別選択の一例を説明する図。
【図２６】景品検索のうちの景品種別選択の一例を説明する図。
【図２７】景品検索のうちのメーカー選択の一例を説明する図。
【図２８】景品検索のうちのメーカー選択の一例を説明する図。
【図２９】景品検索のうちのキャラクター選択の一例を説明する図。
【図３０】景品検索のうちのキャラクター選択の一例を説明する図。
【図３１】景品検索のうちのサイズ選択の一例を説明する図。
【図３２】景品検索のうちのサイズ選択の一例を説明する図。
【図３３】景品検索のうちの価格帯選択の一例を説明する図。
【図３４】景品検索のうちの価格帯選択の一例を説明する図。
【図３５】景品検索のうちの商品コード選択の一例を説明する図。
【図３６】景品検索のうちの商品コード選択の一例を説明する図。
【図３７】景品検索のうちの景品名選択の一例を説明する図。
【図３８】景品検索のうちの景品名選択の一例を説明する図。
【図３９】最近発注検索の一例を説明する図。
【符号の説明】
【０１６３】
１０    発注システム
１１    アミューズメント店舗
１２    アミューズメント店舗
１３    店舗端末装置
１４    店舗端末装置
１５    アミューズメント本部
１６    本部端末装置
１７    仕入先
１８    仕入先
１９    仕入先端末装置
２０    仕入先端末装置
２１    発注管理サーバ（サーバ装置）
２２    インターネット
【図１】
2009289026.tif 000003
【図２】
2009289026.tif 000004
【図３】
2009289026.tif 000005
【図４】
2009289026.tif 000006
【図５】
2009289026.tif 000007
【図６】
2009289026.tif 000008
【図７】
2009289026.tif 000009
【図８】
2009289026.tif 000010
【図９】
2009289026.tif 000011
【図１０】
2009289026.tif 000012
【図１１】
2009289026.tif 000013
【図１２】
2009289026.tif 000014
【図１３】
2009289026.tif 000015
【図１４】
2009289026.tif 000016
【図１５】
2009289026.tif 000017
【図１６】
2009289026.tif 000018
【図１７】
2009289026.tif 000019
【図１８】
2009289026.tif 000020
【図１９】
2009289026.tif 000021
【図２０】
2009289026.tif 000022
【図２１】
2009289026.tif 000023
【図２２】
2009289026.tif 000024
【図２３】
2009289026.tif 000025
【図２４】
2009289026.tif 000026
【図２５】
2009289026.tif 000027
【図２６】
2009289026.tif 000028
【図２７】
2009289026.tif 000029
【図２８】
2009289026.tif 000030
【図２９】
2009289026.tif 000031
【図３０】
2009289026.tif 000032
【図３１】
2009289026.tif 000033
【図３２】
2009289026.tif 000034
【図３３】
2009289026.tif 000035
【図３４】
2009289026.tif 000036
【図３５】
2009289026.tif 000037
【図３６】
2009289026.tif 000038
【図３７】
2009289026.tif 000039
【図３８】
2009289026.tif 000040
【図３９】
2009289026.tif 000041